(57)【特許請求の範囲】
【請求項１】
開始操作が行われることに基づいて複数列の図柄を変動させて行う遊技が図柄表示手段で開始され、遊技の開始に基づき各列の図柄の変動が開始された後、停止操作に基づいて対応する列の図柄が停止される遊技機において、
所定条件の成立を契機として有利遊技状態に制御する遊技制御手段と、
演出を実行させる演出実行手段と、を備え、
前記有利遊技状態には、有利遊技状態での遊技期間を延長可能にする延長条件をそれぞれに定めた複数の有利遊技状態を含み、
前記遊技制御手段は、前記有利遊技状態の制御中にあっては制御中でない有利遊技状態に定めた前記延長条件の到来により該制御中でない有利遊技状態での遊技期間を延長可能に構成され、
前記制御中の有利遊技状態の遊技期間が終了した後に前記制御中でない有利遊技状態が制御される場合があり、
前記演出実行手段は、前記制御中の有利遊技状態の遊技期間が終了するに際しては、前記制御中でない有利遊技状態の遊技期間を延長した期間の合計を識別可能とする演出を実行させ、
制御中の有利遊技状態での遊技期間は短縮される一方で、前記制御中でない有利遊技状態での遊技期間が短縮されないことを特徴とする遊技機。
【請求項２】
開始操作が行われることに基づいて複数列の図柄を変動させて行う遊技が図柄表示手段で開始され、遊技の開始に基づき各列の図柄の変動が開始された後、停止操作に基づいて対応する列の図柄が停止される遊技機において、
所定条件の成立を契機として有利遊技状態に制御する遊技制御手段と、
演出を実行させる演出実行手段と、を備え、
前記有利遊技状態には、第１の有利遊技状態と第２の有利遊技状態とを含み、
第１の延長条件の到来により前記第１の有利遊技状態を延長可能とする一方、第２の延長条件の到来により前記第２の有利遊技状態を延長可能とし、
前記遊技制御手段は、前記第１の有利遊技状態の制御中にあっては前記第２の延長条件の到来により前記第２の有利遊技状態での遊技期間を延長可能に構成され、
前記第１の有利遊技状態の遊技期間が終了した後に前記第２の有利遊技状態が制御される場合があり、
前記演出実行手段は、前記第１の有利遊技状態の遊技期間が終了するに際しては、前記第２の有利遊技状態の遊技期間を延長した期間の合計を識別可能とする演出を実行させ、
前記第１の有利遊技状態の制御中にあっては前記第２の有利遊技状態での遊技期間が短縮されないことを特徴とする遊技機。
【発明の詳細な説明】
【技術分野】
【０００１】
本発明は、遊技者による開始操作が行われることに基づいて複数列の図柄を変動させて行う１回の遊技が図柄表示手段で開始される遊技機に関するものである。
【背景技術】
【０００２】
従来から、遊技機の一種であるパチンコ式スロットマシン（回胴式遊技機、以下「パチスロ」と示す）では、遊技媒体（以下「メダル」と示す）が用いられ、パチスロへのメダルの投入により遊技を開始するようにしている。このようなパチスロとしては、例えば、特許文献１に記載のようなものが挙げられる。このパチスロでは、ボーナス遊技とは異なる遊技者にとって有利な状態での遊技を行わせるようにしている。このような有利な状態での遊技では、再遊技となる「リプレイ」の当選確率を上昇させるとともに、メダルを増やし易くするために遊技のアシストを行うようにすることで、遊技者にとって有利になるようにしている。
【０００３】
このような有利な状態での遊技は、所定のタイミングで設定される継続ゲーム数分の遊技が行われることを上限として継続するようにしている。そして、この有利な状態での遊技が行われている間には、抽選により継続ゲーム数を加算可能にして、有利な状態に加えてこのような有利な状態をさらに継続させ得るチャンスを与えるようにしている。
【０００４】
このようにして特許文献１のパチスロでは、有利な状態での遊技が行われている間の興趣を向上させるようにしている。
【先行技術文献】
【特許文献】
【０００５】
【特許文献１】特開２０１１−１６０８４４号公報
【発明の概要】
【発明が解決しようとする課題】
【０００６】
ところで、近年におけるこのような有利な状態での遊技を行うようにするパチスロにあっては、特許文献１に記載される仕様は一例に過ぎず、このような仕様以外にも該有利な状態での遊技に関する多種多様の仕様が提案されている。このようなことからも、こうした有利な状態での遊技が行われている間の興趣を向上させることが望まれている。
【０００７】
この発明は、このような従来技術に存在する問題点に着目してなされたものであり、その目的は、有利な状態での遊技が行われている間の興趣を向上させることができる遊技機を提供することにある。
【課題を解決するための手段】
【０００８】
上記課題を解決する遊技機は、開始操作が行われることに基づいて複数列の図柄を変動させて行う遊技が図柄表示手段で開始され、遊技の開始に基づき各列の図柄の変動が開始された後、停止操作に基づいて対応する列の図柄が停止される遊技機において、所定条件の成立を契機として有利遊技状態に制御する遊技制御手段と、演出を実行させる演出実行手段と、を備え、前記有利遊技状態には、有利遊技状態での遊技期間を延長可能にする延長条件をそれぞれに定めた複数の有利遊技状態を含み、前記遊技制御手段は、前記有利遊技状態の制御中にあっては制御中でない有利遊技状態に定めた前記延長条件の到来により該制御中でない有利遊技状態での遊技期間を延長可能に構成され、前記制御中の有利遊技状態の遊技期間が終了した後に前記制御中でない有利遊技状態が制御される場合があり、前記演出実行手段は、前記制御中の有利遊技状態の遊技期間が終了するに際しては、前記制御中でない有利遊技状態の遊技期間を延長した期間の合計を識別可能とする演出を実行させ、制御中の有利遊技状態での遊技期間は短縮される一方で、前記制御中でない有利遊技状態での遊技期間が短縮されない。
【０００９】
上記課題を解決する遊技機は、開始操作が行われることに基づいて複数列の図柄を変動させて行う遊技が図柄表示手段で開始され、遊技の開始に基づき各列の図柄の変動が開始された後、停止操作に基づいて対応する列の図柄が停止される遊技機において、所定条件の成立を契機として有利遊技状態に制御する遊技制御手段と、演出を実行させる演出実行手段と、を備え、前記有利遊技状態には、第１の有利遊技状態と第２の有利遊技状態とを含み、第１の延長条件の到来により前記第１の有利遊技状態を延長可能とする一方、第２の延長条件の到来により前記第２の有利遊技状態を延長可能とし、前記遊技制御手段は、前記第１の有利遊技状態の制御中にあっては前記第２の延長条件の到来により前記第２の有利遊技状態での遊技期間を延長可能に構成され、前記第１の有利遊技状態の遊技期間が終了した後に前記第２の有利遊技状態が制御される場合があり、前記演出実行手段は、前記第１の有利遊技状態の遊技期間が終了するに際しては、前記第２の有利遊技状態の遊技期間を延長した期間の合計を識別可能とする演出を実行させ、前記第１の有利遊技状態の制御中にあっては前記第２の有利遊技状態での遊技期間が短縮されない。
【発明の効果】
【００１０】
本発明によれば、有利な状態での遊技が行われている間の興趣を向上させることができる。
【図面の簡単な説明】
【００１１】
【図１】パチスロの機表側を示す正面図。
【図２】入賞ラインを示す模式図。
【図３】賞態様を示す模式図。
【図４】パチスロの電気的構成を示すブロック図。
【図５】（ａ）〜（ｃ）は当選役決定テーブルを示す模式図。
【図６】遊技状態の移行の態様を示す模式図。
【図７】演出状態の移行の態様を示す模式図。
【図８】（ａ）〜（ｄ）は表示演出を示す模式図。
【図９】通常ＡＲＴにおける上乗せを示す模式図。
【図１０】通常ＡＲＴにおける上乗せを示す模式図。
【図１１】合流ＡＲＴにおける上乗せを示す模式図。
【図１２】（ａ）は特殊チェリー役の停止表示の態様を示す模式図、（ｂ）はスイカ役の停止表示の態様を示す模式図、（ｃ）は通常チェリー役の停止表示の態様を示す模式図。
【図１３】（ａ）〜（ｌ）はＡＲＴ回数の変化態様を示す模式図。
【発明を実施するための形態】
【００１２】
以下、本発明を遊技機の一種であるパチンコ式スロットマシン（回胴式遊技機、以下、「パチスロ」と示す）に具体化した一実施形態を図１〜図１３に基づいて説明する。
図１には、本実施形態のパチスロ１０の機表側が略示されており、パチスロ１０は、前面を開口した直方体状の本体１１と、当該本体の左側縁側に対して回動開閉可能に軸支された前面扉１２とを備えている。前面扉１２の前面上部には、遊技中（変動ゲーム中）に表示演出を行う液晶表示装置からなる演出装置としての演出表示装置１４が配設されている。また、前面扉１２には、該前面扉１２を囲うように各種の演出効果光を発するランプＲが設けられている。また、前面扉１２の左右上部には、音声演出を行うスピーカＳＰが配設されている。
【００１３】
前面扉１２の前面中央には、中央パネル１５が設けられているとともに、当該中央パネル１５には、機内部に配設される図柄表示手段としてのドラムユニット１３を透視可能な透視窓１６が設けられている。透視窓１６は、中央パネル１５と一体形成された合成樹脂板から構成されている。ドラムユニット１３は、各種の図柄が印刷された投光性を有する帯状のリールシートが外周に巻装された左リール１３Ｌと、中リール１３Ｃと、右リール１３Ｒとから構成されている。そして、透視窓１６には、左リール１３Ｌを第１図柄列として、該第１図柄列が配置される隣には第２図柄列としての中リール１３Ｃが配置し、該第２図柄列が配設される隣には第３図柄列としての右リール１３Ｒが配置している。ドラムユニット１３の各リール（左リール１３Ｌ、中リール１３Ｃ、及び右リール１３Ｒ）に印刷される各図柄は、予め定められた順に各図柄がそれぞれに配列されている。ドラムユニット１３の左リール１３Ｌには、図柄Ｌ００〜図柄Ｌ２０の２１個の図柄が配列されている。また、中リール１３Ｃには、図柄Ｃ００〜図柄Ｃ２０までの２１個の図柄が配列されている。また、右リール１３Ｒには、図柄Ｒ００〜図柄Ｒ２０までの２１個の図柄が配列されている。そして、変動ゲームにおいて左リール１３Ｌでは、図柄Ｌ００、図柄Ｌ０１・・・図柄Ｌ２０、図柄Ｌ００の順に透視窓１６に表示されるように変動する。また、変動ゲームにおいて中リール１３Ｃでは、図柄Ｃ００、図柄Ｃ０１・・・図柄Ｃ２０、図柄Ｃ００の順に透視窓１６に表示されるように変動する。また、変動ゲームにおいて右リール１３Ｒでは、図柄Ｒ００、図柄Ｒ０１・・・図柄Ｒ２０、図柄Ｒ００の順に透視窓１６に表示されるように変動する。
【００１４】
なお、本実施形態において各リールでは、「ＲＥＰＬＡＹ」の文字が装飾された図柄（リプレイ図柄）、「ベル」を模した図柄（ベル図柄）、「７」を模した図柄（セブン図柄）、「スイカ（すいか）」を模した図柄（スイカ図柄）、「チェリー」を模した図柄（チェリー図柄）などが配列されている。以下では、各図柄を、「図柄」を省いて、「リプレイ」、「ベル」、「スイカ」、「セブン」、「チェリー」という場合もある。
【００１５】
そして、各リールは、各々に対応して設けられたステッピングモータ（図示しない）により独立して縦方向に回転及び停止するように構成されており、各リールが回転することによって透視窓１６には各種図柄が連続的に変化しつつ表示（変動）されるようになっている。そして、各リールの回転が停止した場合、透視窓１６には、各リールのリールシートに印刷された複数の図柄のうち、連続する３つの図柄が上段、中段、下段の位置に停止表示されるようになっている。このため、透視窓１６は、各リールにおいて３つの図柄が表示可能な大きさで形成されている。また、各リールには、該各リールの回転位置を検出するためのリールセンサＳＥ１，ＳＥ２，ＳＥ３（図４に示す）が各リールにそれぞれ対応するように設けられている。
【００１６】
また、パチスロ１０には、図２に示すように、透視窓１６から透視可能な図柄の表示領域において、停止表示される図柄の組み合わせ（図柄組み合わせ）を規定する複数（本実施形態では５本）の図柄停止ラインが形成されている。本実施形態のパチスロ１０では、図柄停止ラインとして、停止表示される図柄の組み合わせを入賞と判定し得る入賞ラインＬ１（実線で示す）と、停止表示される図柄の組み合わせを入賞と判定し得ない非入賞ラインＬ２〜Ｌ５（破線で示す）が形成されている。
【００１７】
入賞ラインＬ１は、図柄停止ライン上に停止表示された図柄の組み合わせが賞を付与する態様である場合、該図柄の組み合わせに応じた賞を付与することとして有効と判定する有効ラインとなる。以下の説明で、単に「入賞ライン」という場合には、入賞ラインＬ１を意味する。
【００１８】
また、非入賞ラインＬ２〜Ｌ５は、これら図柄停止ライン上に停止表示された図柄の組み合わせが賞を付与する態様と同一態様であったとしても、該図柄の組み合わせに応じた賞を付与しないこととして無効と判定する無効ラインとなる。以下の説明で、単に「非入賞ライン」という場合には、非入賞ラインＬ２〜Ｌ５を意味する。
【００１９】
具体的に説明すると、本実施形態の透視窓１６では、図２に示すように９つの図柄停止位置Ｄ１〜Ｄ９に各列の図柄が停止表示されるようになっている。これら９つの図柄停止位置Ｄ１〜Ｄ９は、縦方向に上段、中段、下段に対応するとともに、横方向に左リール１３Ｌ、中リール１３Ｃ、右リール１３Ｒに対応するよう３列に配置されている。そして、遊技者側から見て左側の上に位置する左リール用上停止位置Ｄ１と、遊技者側から見て左側の中央に位置する左リール用中停止位置Ｄ２と、遊技者側から見て左側の下に位置する左リール用下停止位置Ｄ３は、左リール１３Ｌに対応する図柄停止位置とされ、左リール１３Ｌの図柄配列において連続する３個の図柄が表示されるようになっている。また、遊技者側から見て中側の上に位置する中リール用上停止位置Ｄ４と、遊技者側から見て中側の中央に位置する中リール用中停止位置Ｄ５と、遊技者側から見て中側の下に位置する中リール用下停止位置Ｄ６は、中リール１３Ｃに対応する図柄停止位置とされ、中リール１３Ｃの図柄配列において連続する３個の図柄が表示されるようになっている。また、遊技者側から見て右側の上に位置する右リール用上停止位置Ｄ７と、遊技者側から見て右側の中央に位置する右リール用中停止位置Ｄ８と、遊技者側から見て右側の下に位置する右リール用下停止位置Ｄ９は、右リール１３Ｒに対応する図柄停止位置とされ、右リール１３Ｒの図柄配列において連続する３個の図柄が表示されるようになっている。
【００２０】
そして、透視窓１６では、左リール用中停止位置Ｄ２、中リール用中停止位置Ｄ５、及び右リール用中停止位置Ｄ８によって入賞ラインＬ１（有効）が形成される。また、透視窓１６では、左リール用上停止位置Ｄ１、中リール用上停止位置Ｄ４、及び右リール用上停止位置Ｄ７によって入賞ラインＬ２（無効）が形成される。また、透視窓１６では、左リール用下停止位置Ｄ３、中リール用下停止位置Ｄ６、及び右リール用下停止位置Ｄ９によって入賞ラインＬ３（無効）が形成される。また、透視窓１６では、左リール用上停止位置Ｄ１、中リール用中停止位置Ｄ５、及び右リール用下停止位置Ｄ９によって入賞ラインＬ４（無効）が形成される。また、透視窓１６では、左リール用下停止位置Ｄ３、中リール用中停止位置Ｄ５、及び右リール用上停止位置Ｄ７によって入賞ラインＬ５（無効）が形成される。
【００２１】
また、中央パネル１５には、変動ゲームに関わる情報を報知する各種情報表示部１９が構成されている。各種情報表示部１９には、投入可能表示用ランプ、再遊技表示用ランプ、ウェイト表示用ランプ、状態ランプ、賭数表示部、貯留枚数表示部、賞枚数表示部、ゲーム情報表示部が形成されている。
【００２２】
投入可能表示用ランプは、変動ゲームのベット数を設定可能な状態、又は機本体に遊技媒体としてのメダルを投入可能な状態である時に点灯し、変動ゲームが開始される、又は最大のベット数（ＭＡＸＢＥＴ）が設定され且つ貯留データ（クレジット）がクレジット上限枚数に達した場合に消灯する。再遊技表示用ランプは、変動ゲームにおいて再遊技役としてのリプレイ役が入賞した場合に点灯する。ウェイト表示用ランプは、ウェイトタイム中にスタート操作が検出された場合に点灯し、ウェイトタイムが経過した後に消灯する。ウェイトタイムは、変動ゲームがあまり速く進行し過ぎてしまうことを規制するために設定された最短遊技時間であり、このウェイトタイム中にスタート操作が検出されると、ウェイトタイムが経過した後に各リールの回転動作が開始するように設定されている。状態ランプは、変動ゲームの進行に合わせて点灯／消灯をする。
【００２３】
また、賭数表示部は、図示しない３つのランプから構成されており、変動ゲームのベット数に応じてランプが点灯する。１ベット（１ＢＥＴ）で１つのランプが点灯し、２ベット（２ＢＥＴ）で２つのランプが点灯し、３ベット（３ＢＥＴ）で全てのランプが点灯する。貯留枚数表示部は、機内部で貯留しているクレジット数を表示する。賞枚数表示部は、変動ゲーム中に入賞が発生した場合に、当該入賞に基づいて遊技者に付与される賞メダルの枚数が表示される。ゲーム情報表示部では、ボーナス遊技中の払出枚数の総数を表示する。
【００２４】
また、前面扉１２の前面において中央パネル１５の右下方位置には、メダル投入口２７が配設されている。メダル投入口２７の奥方には、メダルの通過を検知するメダルセンサＳＥ４（図４に示す）が配設されている。また、前面扉１２の前面において中央パネル１５の左下方位置には、左から順にＢＥＴボタン２８とＭＡＸＢＥＴボタン２９とが設けられている。ＢＥＴボタン２８は、機内部で貯留記憶されているクレジットから１ベット分（１枚分）を変動ゲームのベット数（賭数）としてベットする（賭ける）際に押圧（操作）するボタンである。また、ＭＡＸＢＥＴボタン２９は、１回の変動ゲームにおいて許容されるベット数の最大ベット数（本実施例では３ベット分（３枚分））を変動ゲームのベット数としてベットする（賭ける）際に押圧（操作）するボタンである。
【００２５】
また、前面扉１２の前面において各ＢＥＴボタン２８，２９の左下方位置には、精算スイッチ３１が設けられている。精算スイッチ３１は、変動ゲームの開始に伴ってベットされたメダル（遊技媒体）、又は機内部に貯留記憶されているクレジットを払い戻すときに使用（操作）するスイッチである。また、精算スイッチ３１の右方位置には、変動ゲームを開始する際に操作するスタートレバー３２が設けられている。そして、パチスロ１０では、ベット数の設定終了後にスタートレバー３２を操作することにより、各リールの回転動作が開始されるようになっている。
【００２６】
スタートレバー３２の右方位置には、遊技者により操作されるストップボタン３３Ｌ，３３Ｃ，３３Ｒが設けられている。ストップボタン３３Ｌ，３３Ｃ，３３Ｒは、回転しているリールを停止させるためのボタンであり、各リールに対応して３個のストップボタンがある。
【００２７】
また、前面扉１２の前面における下部中央部にはメダル排出口３６が形成されている。また、前面扉１２の前面における下部には、メダル排出口３６から排出されたメダルを受ける受皿３７が配設されている。
【００２８】
また、図１に破線で示すように、パチスロ１０本体においてドラムユニット１３の下方となる位置には、パチスロ１０内部において、投入されたメダルを貯留するためのホッパー３８が配置されている。このホッパー３８の下方側にはメダル排出口３６が位置し、図柄の組み合わせが遊技者に賞メダルを付与する予め定める賞態様（役）になった場合には、ホッパー３８に貯留されたメダルがメダル排出口３６へと払出されるようになっている。前面扉１２の裏面側においてメダル投入口２７の下方位置には、該メダル投入口２７とホッパー３８とを繋ぐようにメダルセレクター３９が配設されている。
【００２９】
次に、遊技者が遊技（変動ゲーム）を行うための操作や、この操作に伴う各種装置の作動状況を説明する。
遊技（変動ゲーム）を開始させることが可能な状態において、ベット数を設定するには、ＢＥＴボタン２８、又はＭＡＸＢＥＴボタン２９の何れかを操作する。ＢＥＴボタン２８が操作された場合には、貯留記憶されているクレジットから１ベット分の枚数（メダル１枚）相当分のクレジットがベット数（賭数）として設定される。また、ＭＡＸＢＥＴボタン２９が操作された場合には、貯留されているクレジットから対象とする遊技（変動ゲーム）で設定可能な最大ベット数分のクレジットがベット数（賭数）として設定される。なお、本実施形態のパチスロ１０では、３ベットによる変動ゲームを許容するようになっている。
【００３０】
また、パチスロ１０では、メダル投入口２７からベット数に相当する枚数のメダルを投入することで各ベット数を設定することが可能であって、メダル１枚を投入するとき１ベット分のベット数が設定されるとともに、メダル３枚を投入するとき３ベット分のベット数が設定される。なお、対象とする遊技で設定可能な最大ベット数（本実施形態では３ベット）を超える分のメダルがメダル投入口２７から投入される場合、クレジット機能を使用している時にはクレジットとして記憶される一方で、クレジット機能を使用していない時には図示しない経路を辿ってメダル排出口３６から遊技者に払出される（返却される）ようになっている。
【００３１】
本実施形態のパチスロ１０では、図２に示すように１本の入賞ラインを定めている。そして、遊技者によりＢＥＴボタン２８、及びＭＡＸＢＥＴボタン２９が操作されると、それぞれのベット数が設定されるとともに１本の入賞ラインが有効となるように設定される。入賞ラインが有効になるとは、当該入賞ライン上に表示された図柄の組み合わせが有効となることで、有効な入賞ライン上に表示された図柄の組み合わせに応じた制御（賞メダルの払出しなど）が行われる。本実施形態における変動ゲームでは常に１本の入賞ラインが有効となるよう構成されている。
【００３２】
上記のようにベット数が設定され、スタートレバー３２の操作が受付可能な状態、すなわち、ゲーム開始可能な状態で遊技者がスタートレバー３２を操作する開始操作を行えば、ドラムユニット１３の各リールが回転し、透視窓１６には複数種類の図柄が連続的に変化するように表示される。その後、各リールが回転して所定時間が経過すると、各ストップボタン３３Ｌ，３３Ｃ，３３Ｒの操作が受付可能になる。そして、遊技者により各ストップボタン３３Ｌ，３３Ｃ，３３Ｒが操作されると、対応する各リールが停止され、透視窓１６からは対応する列の上段、中段及び下段に図柄が表示される。
【００３３】
そして、各リールの全てが停止された時点で、有効化された入賞ラインに停止表示された図柄の組み合わせが予め定めた賞態様を形成する場合に入賞となり、入賞した賞態様に応じた賞が遊技者に付与される。例えば、賞として賞メダルを付与する場合には、入賞した賞態様に応じた枚数のメダルが賞メダルとして遊技者に付与される。また、特に予め定められた図柄の組み合わせが表示されてボーナス役（ＢＮ役）が入賞した場合にあっては、一般遊技とは異なり、遊技者にとって有利な、すなわち大量の賞メダルを獲得できるボーナス遊技が発生し、ボーナス遊技が遊技者に付与される。なお、一般遊技とは、ボーナス遊技でない遊技（変動ゲーム）を示している。
【００３４】
本実施形態のパチスロ１０では、スタートレバー３２の開始操作を開始契機として１回の変動ゲーム（遊技）が開始し、ストップボタン３３Ｌ，３３Ｃ，３３Ｒの停止操作により図柄の組み合わせが停止表示（停止）されることを１回とする変動ゲーム（遊技）が行われる。なお、図柄の組み合わせに応じて賞メダルが払出される場合には、賞メダルの払出しが完了したことを終了契機として１回の変動ゲーム（遊技）が終了する。
【００３５】
本実施形態のパチスロ１０において、入賞ライン上に停止表示される図柄の組み合わせについて図３に基づき説明する。
図３には、内部で決定される当選役に基づき入賞ライン上に停止表示する図柄の組み合わせ（停止結果）と、該図柄の組み合わせに対応する賞とを示した役構成が示されている。
【００３６】
本実施形態では、図３に示される当選役に対応する図柄の組み合わせのいずれも有効とされる入賞ライン上に停止表示されていない場合には、１枚以上の賞メダルが遊技者に付与されないようになっている。なお、以下では、図３に示される何れにも対応しない図柄の組み合わせにより入賞ラインを形成している場合の図柄の組み合わせを「はずれ停止目」という。
【００３７】
また、［ＡＮＹ・チェリー・ＡＮＹ］が入賞ライン上に停止表示される場合には、遊技状態に応じて３枚又は９枚の賞メダルを払出すことを定めている。なお、この場合には、入賞ラインを形成する左リール１３Ｌの停止位置に停止表示される図柄は何れの図柄（「ＡＮＹ」）でもよい。また、この場合には、入賞ラインを形成する右リール１３Ｒの停止位置に停止表示される図柄は［ベル］を除く何れの図柄（「ＡＮＹ」）でもよい。以下では、［ＡＮＹ・チェリー・ＡＮＹ］により入賞ラインを形成している場合の図柄の組み合わせを「通常チェリー停止目」という。そして、通常チェリー停止目は、内部抽選で当選役として「通常チェリー役」が決定されている場合に入賞する賞態様に定められている。
【００３８】
また、［スイカ・スイカ・スイカ］が入賞ライン上に停止表示される場合には、遊技状態に応じて３枚又は９枚の賞メダルを払出すことを定めている。以下、［スイカ・スイカ・スイカ］により入賞ラインを形成している場合の図柄の組み合わせを「スイカ停止目」という。そして、スイカ停止目は、内部抽選で当選役として「スイカ役」が決定されている場合に入賞する賞態様に定められている。
【００３９】
また、［ベル・ベル・ベル］が入賞ライン上に停止表示される場合には、遊技状態に応じて９枚の賞メダルを払出すことを定めている。以下、［ベル・ベル・ベル］により入賞ラインを形成している場合の図柄の組み合わせを「ベル停止目」という。そして、ベル停止目は、内部抽選で当選役として「左正解ベル役」、「中正解ベル役」、及び「右正解ベル役」の何れかが決定されている場合に入賞する賞態様に定められている。
【００４０】
また、［ベル・チェリー・ベル］が入賞ライン上に停止表示される場合には、遊技状態に応じて６枚又は９枚の賞メダルを払出すことを定めている。以下、［ベル・チェリー・ベル］により入賞ラインを形成している場合の図柄の組み合わせを「特殊チェリー停止目」という。そして、特殊チェリー停止目は、内部抽選で当選役として「特殊チェリー役」が決定されている場合に入賞する賞態様に定められている。
【００４１】
このため、本実施形態における「通常チェリー役」、「スイカ役」、「左正解ベル役」、「中正解ベル役」、「右正解ベル役」、「特殊チェリー役」は、入賞ライン上に停止表示される図柄の組み合わせに基づいて賞メダルを払出すことを定める当選役（払出役）となる。また、以下の説明で、単に「ベル役」という場合には、「左正解ベル役」、「中正解ベル役」、及び「右正解ベル役」を意味する。
【００４２】
また、［リプレイ・リプレイ・リプレイ］が入賞ライン上に停止表示される場合には、遊技者がベット数をベットすることなく内部で自動的にベット数が設定されることで次の変動ゲームを行う再遊技を付与することを定めている。以下、［リプレイ・リプレイ・リプレイ］により入賞ラインを形成している場合の図柄の組み合わせを「リプレイ停止目」という。そして、リプレイ停止目は、内部抽選で当選役として「通常リプレイ役」が決定されている場合に入賞する賞態様に定められている。
【００４３】
また、［リプレイ・リプレイ・スイカ］が入賞ライン上に停止表示される場合には、再遊技を付与することを定めている。以下、［リプレイ・リプレイ・スイカ］により入賞ラインを形成している場合の図柄の組み合わせを「突入リプレイ停止目」という。そして、突入リプレイ停止目は、「中正解突入リプレイ役」、及び「右正解突入リプレイ役」の何れかが決定されている場合に入賞する賞態様に定められている。
【００４４】
このため、本実施形態における「通常リプレイ役」、「中正解突入リプレイ役」、及び「右正解突入リプレイ役」は、入賞ライン上に停止表示される図柄の組み合わせに基づいて再遊技を付与することを定める当選役（以下、「リプレイ役」という）となる。再遊技が付与される場合、遊技者はベット数をベットすることなく次の変動ゲームを行うことができる。そして、再遊技によりベット数が設定される場合には、再遊技が付与される契機となった変動ゲームで設定されたのと同一ベット数を設定することになる。なお、リプレイ役では、リプレイ役が停止表示した変動ゲームが行われたベット数と同じベット数で次の変動ゲームを行うことができるのみであって、賞としてメダルが遊技者に払い出されるわけではない。すなわち、遊技者は、リプレイ役の入賞によっては賞メダルを獲得するわけではない。以下の説明で、単に「突入リプレイ役」という場合には、「中正解突入リプレイ役」及び「右正解突入リプレイ役」を意味する。
【００４５】
本実施形態では、上述した「通常チェリー役」、「スイカ役」、「ベル役」、「特殊チェリー役」、「リプレイ役」が小役となる。
また、［セブン・セブン・セブン］が入賞ライン上に停止表示される場合には、ボーナス遊技が開始（生起）されて「ボーナスゲーム（以下、「ＢＮ遊技」という）」を付与することを定めている。以下、［セブン・セブン・セブン］により入賞ラインを形成している場合の図柄の組み合わせを「ＢＮ停止目」と示す。そして、ＢＮ停止目は、内部抽選で当選役として「ＢＮ役」が決定されている場合に入賞する賞態様に定められている。
【００４６】
本実施形態において、ＢＮ役は、遊技状態としてＢＮ遊技を作動（開始）させる契機となる当選役（ボーナス役）である。
また、本実施形態のパチスロ１０には、リプレイ役（通常リプレイ役、突入リプレイ役）の当選確率を変動させて、遊技状態としてＢＮ遊技以外における一般遊技を制御するＲＴ機能（再遊技役確率変動機能）が搭載されている。本実施形態における一般遊技は、ＲＴ機能の作動態様に応じた状態に制御されるとともに、ＲＴ機能の作動中にはその種類に応じた状態に制御される。そして、ＲＴ機能により一般遊技では、一般遊技でリプレイ役（合算）の当選確率が低確率抽選状態に設定されるＲＴ機能の非作動となるＮＲＴ遊技に制御される場合と、一般遊技でリプレイ役（合算）の当選確率が高確率抽選状態に設定されるＲＴ機能の作動となるＲＴ遊技に制御される場合とがある。以下の説明で、単に「ＮＲＴ遊技」という場合には、ＮＲＴ遊技に制御される一般遊技を意味し、単に「ＲＴ遊技」という場合には、ＲＴ遊技に制御される一般遊技を意味する。
【００４７】
次に、パチスロ１０の電気的構成を図４にしたがって説明する。
パチスロ１０の機裏側には、遊技機全体を制御する主制御基板４０が装着されている。主制御基板４０は、遊技機全体を制御するための各種処理を実行し、該処理結果に応じて各種の制御信号（制御コマンド）を演算処理し、該制御信号を出力する。また、機裏側には、遊技状態に応じた演出制御等を実行するサブ制御基板４１が装着されている。そして、サブ制御基板４１は、主制御基板４０が出力した各種の制御信号を入力し、該制御信号に基づき所定の制御を実行する。
【００４８】
主制御基板４０には、ドラムユニット１３を構成する各リール（左リール１３Ｌ、中リール１３Ｃ、及び右リール１３Ｒ）、リールセンサＳＥ１〜ＳＥ３、メダルセンサＳＥ４、サブ制御基板４１、ホッパー３８が接続されている。また、主制御基板４０には、中央パネル１５に設けられた各種情報表示部１９が接続されている。また、主制御基板４０には、ＢＥＴボタン２８と、ＭＡＸＢＥＴボタン２９と、精算スイッチ３１と、スタートレバー３２と、各ストップボタン３３Ｌ，３３Ｃ，３３Ｒとが接続されている。また、サブ制御基板４１には、演出表示装置１４が接続されている。また、サブ制御基板４１には、スピーカＳＰや、ランプＲが接続されている。
【００４９】
以下、主制御基板４０について説明する。
主制御基板４０は、主制御用ＣＰＵ４０ａを備えており、該主制御用ＣＰＵ４０ａには、主制御用ＲＯＭ４０ｂ及び主制御用ＲＡＭ４０ｃが接続されている。主制御用ＣＰＵ４０ａは、当選役決定乱数などの各種乱数の値を所定の周期毎に順次更新し、更新後の値を主制御用ＲＡＭ４０ｃの設定領域に設定して更新前の値を書き換えている。当選役決定乱数は、主制御用ＣＰＵ４０ａが当選役決定テーブルに従い役（当選役）を決定する際に使用する乱数である。
【００５０】
また、主制御用ＣＰＵ４０ａには、接続されるリールセンサＳＥ１〜ＳＥ３から透視窓１６で表示されている図柄（回転中の各リールの回転位置）に応じて第１〜第３の位置信号が入力されるようになっている。第１の位置信号には左リール１３Ｌが対応し、第２の位置信号には中リール１３Ｃが対応し、第３の位置信号には右リール１３Ｒが対応するようになっている。そして、主制御用ＣＰＵ４０ａは、第１〜第３の位置信号により各リールの回転位置及び停止位置を把握し、該第１〜第３の位置信号に基づき各リールの回転及び停止の制御を行う。また、主制御基板４０（主制御用ＣＰＵ４０ａ）には、接続されるメダルセンサＳＥ４から該メダルセンサＳＥ４でメダルを検知する毎に、メダルを検知したことを示すメダル検知信号が入力されるようになっている。
【００５１】
また、主制御用ＣＰＵ４０ａには、接続されるＢＥＴボタン２８、ＭＡＸＢＥＴボタン２９、精算スイッチ３１、スタートレバー３２及びストップボタン３３Ｌ，３３Ｃ，３３Ｒが操作されると、各ボタンが操作されたことを示す各種操作信号が入力されるようになっている。また、主制御用ＣＰＵ４０ａには、ホッパー３８が接続されている。
【００５２】
また、主制御用ＲＯＭ４０ｂには、パチスロ１０を制御するためのメイン制御プログラムが記憶されている。また、主制御用ＲＯＭ４０ｂには、遊技状態別、並びに当選役別の内部当選確率が、当選役決定乱数の値の割り当て範囲として定められた複数の当選役決定テーブルが記憶されている。また、主制御用ＲＯＭ４０ｂには、役毎に図柄の組み合わせの停止テーブルが予め定められている。停止テーブルとは、各ストップボタン３３Ｌ，３３Ｃ，３３Ｒを遊技者が操作した時の操作のタイミングによって停止表示させる図柄を役毎に定めたものである。また、主制御用ＲＡＭ４０ｃには、パチスロ１０の動作中に適宜書き換えられる各種情報が記憶（設定）されるようになっている。
【００５３】
次に、主制御用ＲＯＭ４０ｂに記憶される当選役決定テーブルＴ１，Ｔ２，Ｔ３について、図５（ａ）〜（ｃ）に基づき説明する。
主制御用ＲＯＭ４０ｂには、抽選対象となる当選役の種類と、抽選対象となる各当選役の当選確率（抽選対象となる各当選役に振分けられる乱数値（乱数の値の範囲に基づく個数））を遊技状態毎にテーブル化したものが記憶されている。そして、各当選役決定テーブルは、遊技状態に応じて主制御用ＣＰＵ４０ａにより用いられる。
【００５４】
そして、一般遊技であればＮＲＴ遊技に当選役決定テーブルＴ１が対応付けられているとともに、ＲＴ遊技に当選役決定テーブルＴ２が対応付けられている。また、ＢＮ遊技であれば当選役決定テーブルＴ３が対応付けられている。
【００５５】
このため、本実施形態において、図５（ａ）に示すように、一般遊技では、リプレイ役の合算の当選確率がＲＴ遊技（当選役決定テーブルＴ２）で、ＮＲＴ遊技（当選役決定テーブルＴ１）に比して大きく高まるように当選役決定乱数が振分けられている。また、このＲＴ遊技（当選役決定テーブルＴ２）では、通常リプレイ役の当選確率がＮＲＴ遊技（当選役決定テーブルＴ１）に比して大きく高まるように当選役決定乱数が振分けられている。また、一般遊技では、ＮＲＴ遊技（当選役決定テーブルＴ１）でのみ突入リプレイ役に当選可能となるように、当選役決定乱数が振分けられている。なお、ＮＲＴ遊技（当選役決定テーブルＴ１）では、中正解突入リプレイ役及び右正解突入リプレイ役の各当選確率が同一確率となるように当選役決定乱数が振分けられている。また、ＢＮ遊技（当選役決定テーブルＴ３）では、リプレイ役を抽選対象としないように当選役決定乱数が振分けられている。
【００５６】
このようにしてＲＴ遊技では、リプレイ役の合算の当選確率が高確率抽選状態に設定される。すなわち、このＲＴ遊技では、通常リプレイ役の当選確率が高確率抽選状態に設定されることになる。また、ＮＲＴ遊技では、リプレイ役の合算の当選確率が低確率抽選状態に設定される。すなわち、このＮＲＴ遊技では、通常リプレイ役の当選確率が低確率抽選状態に設定されることになる。
【００５７】
その結果、本実施形態のパチスロ１０では、リプレイ役の合算の当選確率が高確率抽選状態に設定されるＲＴ遊技において、再遊技が付与され易い分、遊技者の保有するメダルの消費（投入）する場面を減少させることができるといった利益を遊技者に付与することができる。さらに、このＲＴ遊技では、遊技者の保有するメダルの消費（投入）を抑えつつ、ＢＮ役の抽選を受けてメダルを増加させ得るチャンスを遊技者に付与することができる。このようなＲＴ遊技は、一般遊技における遊技者に有利となる遊技状態（制御状態）である。
【００５８】
また、本実施形態において、図５（ｂ）に示すように、ＢＮ遊技（当選役決定テーブルＴ３）では、ベル役の合算の当選確率が一般遊技（当選役決定テーブルＴ１，Ｔ２）に比して大きく高まるように当選役決定乱数が振分けられている。また、各遊技状態（当選役決定テーブルＴ１，Ｔ２）では、左正解ベル役、中正解ベル役、及び右正解ベル役の各当選確率が同一遊技状態であれば同一確率となるように当選役決定乱数が振分けられている。また、ＢＮ遊技（当選役決定テーブルＴ３）では、ベル役を主な抽選対象とするように当選役決定乱数が振分けられている。
【００５９】
本実施形態のパチスロ１０では、ベル役の合算の当選確率が一般遊技に比して大きく高まるＢＮ遊技において、ベル役に当選し易く賞メダルを獲得し易い分、遊技者の保有するメダルを増加させることができるといった利益を遊技者に付与することができる。その結果、ＢＮ遊技では、遊技者の保有するメダルを増加させるチャンスを遊技者に付与することができる。
【００６０】
また、本実施形態において、図５（ｃ）に示すように、一般遊技及びＢＮ遊技（当選役決定テーブルＴ１〜Ｔ３）では、通常チェリー役とスイカ役の当選確率が同一確率となるように当選役決定乱数が振分けられている。また、一般遊技及びＢＮ遊技（当選役決定テーブルＴ１〜Ｔ３）では、特殊チェリー役の当選確率が通常チェリー役やスイカ役の当選確率に比して低くなるように当選役決定乱数が振分けられている。
【００６１】
なお、一般遊技（当選役決定テーブルＴ１，Ｔ２）では、ＢＮ役の当選確率を所定確率に定めている。本実施形態では、例えば、ＢＮ役の当選確率を１／３００（３００分の１）に定めている。また、ＢＮ遊技（当選役決定テーブルＴ３）では、ＢＮ役やリプレイ役を役抽選の抽選対象としないことを定めている。また、後述するボーナス待機状態における当選役決定テーブルにおいては、小役の当選確率を所定確率に定めている。そして、後述するボーナス待機状態における当選役決定テーブルにおけるＢＮ役の当選時には、その当選を他の当選役（小役又ははずれ役）の当選に置き換える（書き換える）。
【００６２】
以下、サブ制御基板４１について説明する。
サブ制御基板４１は、サブ制御用ＣＰＵ４１ａを備えており、該サブ制御用ＣＰＵ４１ａにはサブ制御用ＲＯＭ４１ｂ及びサブ制御用ＲＡＭ４１ｃが接続されている。サブ制御用ＲＯＭ４１ｂには、各種遊技演出を行うためのサブ制御プログラムが記憶されている。また、サブ制御用ＲＯＭ４１ｂには、演出表示装置１４の表示演出態様が示される表示演出パターンや、スピーカＳＰの音声出力態様が示される音声演出パターンや、ランプＲの発光態様が示される発光演出パターンが記憶されている。また、サブ制御用ＲＡＭ４１ｃには、パチスロ１０の動作中に適宜書き換えられる各種情報が記憶（設定）されるようになっている。具体的には、サブ制御用ＲＡＭ４１ｃには、遊技状態に係るサブ用状態情報（フラグなど）がサブ制御用ＣＰＵ４１ａにより記憶（設定）されるようになっている。
【００６３】
以下、主制御用ＣＰＵ４０ａがメイン制御プログラムに基づき実行する変動ゲームに係る処理について説明する。
主制御用ＣＰＵ４０ａは、各種操作信号を入力すると、各種操作信号に定める所定の制御を実行する。そして、主制御用ＣＰＵ４０ａは、各種操作信号の入力や各種制御により、各種情報表示部１９の表示制御をその都度実行する。また、主制御用ＣＰＵ４０ａは、賞態様の入賞に基づいて賞メダルを払出す場合、クレジット上限枚数（本実施形態では、「５０（枚）」）を超えるとき、駆動信号をホッパー３８に出力して、駆動信号を１回出力する毎に賞メダルを１枚払出させるように制御する。なお、主制御用ＣＰＵ４０ａは、クレジットの清算時、駆動信号をホッパー３８に出力して、クレジット分のメダルを遊技者に払出させるように制御する。
【００６４】
そして、主制御用ＣＰＵ４０ａは、メダル投入口２７よりメダルが投入される、又は各ＢＥＴボタン２８，２９の操作信号を入力すると、ベット数を設定する。また、主制御用ＣＰＵ４０ａは、各ＢＥＴボタン２８，２９が操作毎に、クレジット数を更新する。また、主制御用ＣＰＵ４０ａは、メダルの投入によりクレジット数を増加させる場合、クレジット数を更新させる。そして、主制御用ＣＰＵ４０ａは、３ベットのベット数を設定するときに変動ゲームを行うことができるゲーム開始可能な状態を生起する。
【００６５】
続いて、主制御用ＣＰＵ４０ａは、ゲーム開始可能な状態において、スタートレバー３２の操作信号を入力すると、役抽選（内部抽選）を行う。そして、主制御用ＣＰＵ４０ａは、主制御用ＲＡＭ４０ｃから当選役決定乱数の値を取得し、該値が主制御用ＲＯＭ４０ｂに記憶されている当選役決定テーブルの各当選役の値の範囲に属しているか否かを判定する役抽選を行う。役抽選において、主制御用ＣＰＵ４０ａは、遊技状態に応じた当選役決定テーブルを用いて当選役を決定する。なお、主制御用ＣＰＵ４０ａは、遊技状態を示す状態情報（フラグなど）を主制御用ＲＡＭ４０ｃに設定して遊技状態を把握している。
【００６６】
そして、主制御用ＣＰＵ４０ａは、当選役を決定すると、決定した当選役の種類を示す役情報（フラグなど）を主制御用ＲＡＭ４０ｃに記憶（設定）する。主制御用ＣＰＵ４０ａは、ＢＮ役の当選の決定時、該ＢＮ役が入賞するまでの間、主制御用ＲＡＭ４０ｃのＢＮ役の役情報を持ち越すようになっている。このようにＢＮ役の役情報が持ち越されている状態は、ＢＮ役の入賞を待機しているボーナス待機状態となる。一方、主制御用ＣＰＵ４０ａは、小役の当選の決定時、該小役の入賞の有無に関係なく役抽選の対象とする変動ゲーム（１回）の終了に伴って、主制御用ＲＡＭ４０ｃの小役の役情報を消去する。
【００６７】
このため、ＢＮ役は、役抽選による当選の決定が、その入賞までの変動ゲームに跨って持越可能な役となる。一方、小役は、役抽選による当選の決定が、１回の変動ゲームでのみ有効とされ、その入賞か否かに関係なく以後の変動ゲームに跨って持越不可能な役となる。
【００６８】
続いて、主制御用ＣＰＵ４０ａは、直前の変動ゲームの終了からウェイトタイムが経過している状態において、主制御用ＣＰＵ４０ａは、各リールの回転動作を開始させるように各リールを制御する。また、主制御用ＣＰＵ４０ａは、各リールの回転動作の開始に合わせて変動ゲームの開始を指示するとともに、役抽選の抽選結果及び変動ゲームが行われる遊技状態を示した変動ゲーム開始コマンドをサブ制御基板４１（サブ制御用ＣＰＵ４１ａ）に出力する。また、変動ゲーム開始コマンドは、持ち越されているＢＮ役があればその役情報も合わせて指示する。なお、サブ制御基板４１（サブ制御用ＣＰＵ４１ａ）への変動ゲーム開始コマンドは、遊技者によるスタートレバー３２の操作を検出したタイミング（役抽選等を行った後）で出力するようにしてもよい。このように構成した場合には、ウェイトタイム中にも各種演出の実行が可能となる。
【００６９】
続いて、主制御用ＣＰＵ４０ａは、遊技者によりストップボタン３３Ｌ，３３Ｃ，３３Ｒの各種操作信号を入力すると、操作信号に対応するリールを停止させるための制御（停止制御）を行う。そして、主制御用ＣＰＵ４０ａは、各リールに対応するリールセンサからの位置信号から、各リールの変動中には各リールの変動状況と、各リールの停止中には各リールの停止状況を把握している。なお、主制御用ＣＰＵ４０ａは、ストップボタン３３Ｌ，３３Ｃ，３３Ｒからの各種操作信号が入力されるまでの間、回転中のリールについて停止制御を行わないで回転動作を維持させる。
【００７０】
次に、主制御用ＣＰＵ４０ａが行う停止制御について説明する。
主制御用ＣＰＵ４０ａは、決定した当選役に基づき各ストップボタン３３Ｌ，３３Ｃ，３３Ｒが遊技者により操作されるタイミングから所定の範囲内（最大で４図柄分）で各リールを停止させて、任意の図柄の組み合わせを停止表示させる。主制御用ＣＰＵ４０ａは、回転中の各リールを停止させる場合、当選している当選役と各ストップボタン３３Ｌ，３３Ｃ，３３Ｒの操作タイミングから主制御用ＲＯＭ４０ｂに記憶される停止テーブルに基づく図柄の組み合わせを停止表示させる停止制御を行う。このため、各リールは、ストップボタン３３Ｌ，３３Ｃ，３３Ｒの遊技者による停止操作のタイミングで停止するとは限らず、遊技者による停止操作のタイミングと各リールの停止するタイミングとが一致しない場合（所謂、「すべり」）がある。例えば、「すべり」を伴う制御では、停止させる図柄に対する遊技者による停止操作のタイミングが早いとき、各リールを各リールの変動方向に強制的にすべらせて該停止させる図柄を入賞ライン上に停止させる。
【００７１】
このため、各リールでは、停止させたい種類の図柄の間に挟む他の種類の図柄が４つ以上の部分を有していなければ、すべり制御を伴う結果、何れかの入賞ライン上に停止させた種類の図柄を停止表示させることができる。一方、各リールでは、停止させたい種類の図柄の間に挟む他の種類の図柄が４つ以上の部分を有していれば、すべり制御を伴っても、何れの入賞ラインにも停止させた種類の図柄を停止表示させることができない場合がある。
【００７２】
そして、主制御用ＣＰＵ４０ａは、ＢＮ役の当選（当選の持ち越し）時、遊技者による停止操作のタイミングが予め定めたタイミングで行われる場合、ＢＮ停止目を停止表示させる。一方、主制御用ＣＰＵ４０ａは、ＢＮ役の当選（当選の持ち越し）時、遊技者による停止操作のタイミングが予め定めたタイミングで行われない場合にはＢＮ役の当選の可能性が有ることを示す「チャンス目」を停止させる。なお、この「チャンス目」は、はずれ役の当選時には停止表示されないようになっている。この場合には、ＢＮ役の取りこぼし（役情報の持ち越し）を発生させる。
【００７３】
また、主制御用ＣＰＵ４０ａは、通常チェリー役の当選時、遊技者による停止操作のタイミングが予め定めたタイミングで行われる場合、通常チェリー停止目を停止表示させる。一方、主制御用ＣＰＵ４０ａは、通常チェリー役の当選時、遊技者による停止操作のタイミングが予め定めたタイミングで行われない場合、はずれ停止目を停止表示させる。この場合には、通常チェリー役の取りこぼしを発生させる。
【００７４】
また、主制御用ＣＰＵ４０ａは、スイカ役の当選時、遊技者による停止操作のタイミングが予め定めたタイミングで行われる場合、スイカ停止目を停止表示させる。一方、主制御用ＣＰＵ４０ａは、スイカ役の当選時、遊技者による停止操作のタイミングが予め定めたタイミングで行われない場合、はずれ停止目を停止表示させる。この場合には、スイカ役の取りこぼしを発生させる。
【００７５】
また、何れの当選役（ＢＮ役及び小役）も決定しない場合（はずれ役の当選時）、主制御用ＣＰＵ４０ａは、はずれ停止目を停止表示させる。
次に、ベル役（左正解ベル役、中正解ベル役、及び右正解ベル役）及びリプレイ役（通常リプレイ役、及び突入リプレイ役）の当選時における停止制御について説明する。
【００７６】
本実施形態のパチスロ１０では、「左正解ベル役」、「中正解ベル役」、及び「右正解ベル役」の当選時、３つのストップボタンのうち最初に操作されるストップボタンに基づき、ベル停止目、及びはずれ停止目のうち何れかの停止目が停止表示される。本実施形態では、何れかのベル役の当選に基づいてそれぞれに対応する正解の押し順が選択されることになる。
【００７７】
そして、左正解ベル役の当選時には、左リール１３Ｌを停止指示するストップボタン３３Ｌが最初に操作されることを、押し順正解としてベル停止目が停止表示される。一方、左正解ベル役の当選時には、左リール１３Ｌ以外を停止指示するストップボタン３３Ｃ，３３Ｒの何れかが最初に操作されることを、押し順不正解としてはずれ停止目（ベルこぼし目）が停止表示される。
【００７８】
また、中正解ベル役の当選時には、中リール１３Ｃを停止指示するストップボタン３３Ｃが最初に操作されることを、押し順正解としてベル停止目が停止表示される。一方、中正解ベル役の当選時には、中リール１３Ｃ以外を停止指示するストップボタン３３Ｌ，３３Ｒの何れかが最初に操作されることを、押し順不正解としてはずれ停止目（ベルこぼし目）が停止表示される。
【００７９】
また、右正解ベル役の当選時には、右リール１３Ｒを停止指示するストップボタン３３Ｒが最初に操作されることを、押し順正解としてベル停止目が停止表示される。一方、右正解ベル役の当選時には、右リール１３Ｒ以外を停止指示するストップボタン３３Ｌ，３３Ｃの何れかが最初に操作されることを、押し順不正解としてはずれ停止目（ベルこぼし目）が停止表示される。
【００８０】
そして、主制御用ＣＰＵ４０ａは、ベル役の当選時、押し順正解であれば、遊技者による停止操作のタイミングに関係なくベル停止目（賞態様）を停止表示させる。また、主制御用ＣＰＵ４０ａは、ベル役の当選時、押し順不正解であれば、遊技者による停止操作のタイミングに関係なくはずれ停止目（ベルこぼし目）を停止表示させる。なお、本実施形態では、ベルこぼし目として、予め定めた図柄の組み合わせが対応付けられている。
【００８１】
また、主制御用ＣＰＵ４０ａは、リプレイ役の当選時、当選内容に基づいて行う制御が異なる。本実施形態における主制御用ＣＰＵ４０ａは、リプレイ役の中でも入賞に関して押し順の概念を有する突入リプレイ役の当選を決定する場合、同時に通常リプレイ役の当選を重複して決定（重複当選を決定）するようになっている。すなわち、主制御用ＣＰＵ４０ａは、リプレイ役の中でも突入リプレイ役の当選の決定時、突入リプレイ役と通常リプレイ役の当選を重複して示す役情報を設定することになる。このため、主制御用ＣＰＵ４０ａが通常リプレイ役の当選を決定する場合には、突入リプレイ役の当選に基づく重複当選とする時と、突入リプレイ役の当選に基づかない単独の当選（単独当選）とする時とがある。以下では、突入リプレイ役の当選と示す場合には、同時に通常リプレイ役にも当選している時を示している。
【００８２】
そして、主制御用ＣＰＵ４０ａは、単独当選とする通常リプレイ役の当選時、遊技者による停止操作のタイミングに関係なく単独当選とする通常リプレイ役の入賞とするリプレイ停止目（賞態様）を停止表示させる。
【００８３】
また、本実施形態のパチスロ１０では、突入リプレイ役の当選時、３つのストップボタンのうち最初に操作されるストップボタンが正解であれば、突入リプレイ停止目が停止表示される。本実施形態では、何れかの突入リプレイ役の当選に基づいてそれぞれに対応する正解の押し順が選択されることになる。
【００８４】
そして、中正解突入リプレイ役の当選時には、中リール１３Ｃを停止指示するストップボタン３３Ｃが最初に操作されることを、押し順正解として突入リプレイ停止目が停止表示される。
【００８５】
また、右正解突入リプレイ役の当選時には、右リール１３Ｒを停止指示するストップボタン３３Ｒが最初に操作されることを、押し順正解として突入リプレイ停止目が停止表示される。
【００８６】
そして、主制御用ＣＰＵ４０ａは、突入リプレイ役の当選時、押し順正解であれば、遊技者による停止操作のタイミングに関係なく突入リプレイ役の入賞とする突入リプレイ停止目（賞態様）を停止表示させる。一方、主制御用ＣＰＵ４０ａは、突入リプレイ役の当選時、押し順不正解であれば、遊技者による停止操作のタイミングに関係なく重複当選とする通常リプレイ役の入賞とするリプレイ停止目（賞態様）を停止表示させる。
【００８７】
次に、特殊チェリー役の当選時における停止制御について説明する。
主制御用ＣＰＵ４０ａは、特殊チェリー役の当選時、遊技者による停止操作のタイミングが予め定めたタイミングで行われる場合、特殊チェリー停止目を停止表示させる。一方、主制御用ＣＰＵ４０ａは、特殊チェリー役の当選時、遊技者による停止操作のタイミングが予め定めたタイミングで行われない場合、はずれ停止目を停止表示させる。この場合には、特殊チェリー役の取りこぼしを発生させる。
【００８８】
本実施形態では、左リール１３Ｌ及び右リール１３Ｒに［ベル］［スイカ］の２つの図柄がこの変動順となるように並ぶスイカ付ベル部分を含んでいる。また、本実施形態では、中リール１３Ｃに［チェリー］［スイカ］の２つの図柄がこの変動順となるように並ぶスイカ付チェリー部分を含んでいる。
【００８９】
そして、主制御用ＣＰＵ４０ａは、特殊チェリー役の当選時、遊技者による停止操作が予め定めたタイミングで行われる場合、図１２（ａ）に示すように、特殊チェリー停止目を入賞ライン上に停止表示させるのに合わせて［スイカ・スイカ・スイカ］を入賞ラインの上段ライン、すなわち非入賞ラインＬ２上に停止表示させるようにしている。このため、特殊チェリー停止目が停止表示される場合には、図柄停止ラインにスイカ停止目に相当する図柄の組み合わせと通常チェリー停止目に相当する［チェリー］の図柄の組み合わせとが合わせて停止表示されることになる。すなわち、本実施形態の特殊チェリー停止目は、スイカ停止目と通常チェリー停止目とを組み合わせて構成されていることになる。本実施形態では、スイカ役が第１の当選役となるとともに、該スイカ役の当選時に停止表示され得るスイカ停止目が第１の図柄の組み合わせとなる。また、本実施形態では、通常チェリー役が第２の当選役となるとともに、該通常チェリー役の当選時に停止表示され得る通常チェリー停止目が第２の図柄の組み合わせとなる。また、本実施形態では、特殊チェリー役が第３の当選役となるとともに、該特殊チェリー役の当選時に停止表示され得る特殊チェリー停止目（特にスイカ停止目と通常チェリー停止目とを組み合わせた停止目）が第３の図柄の組み合わせとなる。
【００９０】
なお、主制御用ＣＰＵ４０ａは、通常チェリー役の当選時、左リール１３Ｌを停止指示するストップボタン３３Ｌがスイカ付ベル部分を停止表示させるタイミングで操作されれば、左リール１３Ｌにおける停止表示の態様を特殊チェリー停止目と同一となるように制御し得る。また、主制御用ＣＰＵ４０ａは、通常チェリー役の当選時、中リール１３Ｃを停止指示するストップボタン３３Ｃがスイカ付チェリー部分を停止表示させるタイミングで操作されれば、中リール１３Ｃにおける停止表示の態様を特殊チェリー停止目と同一となるように制御し得る。このようにして主制御用ＣＰＵ４０ａは、左リール１３Ｌ及び中リール１３Ｃにおける停止表示の態様を特殊チェリー停止目と同一となるように制御したとしても、通常チェリー役の当選時であれば右リール１３Ｒにリプレイを入賞ライン上に停止表示させるように制御することになる。
【００９１】
続いて、主制御用ＣＰＵ４０ａは、各リールの全てを停止させて図柄の組み合わせを停止表示させると入賞判定を行う。この場合に主制御用ＣＰＵ４０ａは、主制御用ＲＡＭ４０ｃから役情報を読み出し、読み出した役情報（当選役）に対応する図柄の組み合わせが入賞ライン上に停止表示されているかを判定する入賞判定を行う。また、入賞判定において主制御用ＣＰＵ４０ａは、各リールの停止に伴って入力する位置信号から入賞ライン上に停止表示した図柄の組み合わせがどのような組み合わせであるかを特定し、その組み合わせが役情報（当選役）に対応する賞態様であるか否かを判定する。なお、主制御用ＣＰＵ４０ａは、入賞ライン上に停止表示した図柄の組み合わせが役情報（当選役）に対応する賞態様である場合に入賞（肯定）と判定する一方、役情報（当選役）に対応する賞態様でない場合に非入賞（否定）と判定する。
【００９２】
そして、主制御用ＣＰＵ４０ａは、入賞判定で入賞と判定すると賞態様に応じた制御を行う。この場合に主制御用ＣＰＵ４０ａは、賞態様に応じて遊技状態を移行させる制御や賞メダルを払出す制御を行う。また、主制御用ＣＰＵ４０ａは、入賞判定により入賞を判定する場合、入賞とした旨を示す入賞指示コマンドをサブ制御基板４１（サブ制御用ＣＰＵ４１ａ）に出力する。この入賞指示コマンドでは、変動ゲーム開始コマンドで指定される当選役が入賞したことをサブ制御基板４１（サブ制御用ＣＰＵ４１ａ）に認識させる。また、この入賞指示コマンドでは、入賞とともに何れの停止目によって入賞したか（賞態様）に関してもサブ制御基板４１（サブ制御用ＣＰＵ４１ａ）に認識させる。
【００９３】
そして、ＢＮ役の入賞を判定する場合、主制御用ＣＰＵ４０ａは、次の変動ゲームからＢＮ遊技に移行させる遊技状態の制御を行う。すなわち、主制御用ＣＰＵ４０ａは、ＢＮ遊技制御を行う。このＢＮ遊技制御において、主制御用ＣＰＵ４０ａは、ＢＮ遊技の開始後、１回目の変動ゲームから遊技者に付与した（払出した）賞メダルのＢＮ払出枚数のカウントを開始する。また、このＢＮ遊技制御において、主制御用ＣＰＵ４０ａは、ＢＮ遊技の変動ゲームで賞メダルを遊技者に付与する毎にＢＮ払出枚数を加算して更新する。なお、このＢＮ遊技制御において、主制御用ＣＰＵ４０ａは、ＢＮ払出枚数が最大払出数（本実施形態では３１６枚）を超える変動ゲームの終了に伴ってＢＮ遊技を終了させる。
【００９４】
また、通常チェリー役の入賞を判定する場合、主制御用ＣＰＵ４０ａは、遊技状態に応じて３枚又は９枚の賞メダルを払出す制御を行う。一方、主制御用ＣＰＵ４０ａは、通常チェリー役の当選時にはずれ停止目に基づいて通常チェリー役の入賞を判定しない場合（通常チェリー役の取りこぼしを判定する場合）、１枚以上の賞メダルを付与しない制御を行う。
【００９５】
また、主制御用ＣＰＵ４０ａは、スイカ役の入賞を判定する場合、遊技状態に応じて３枚又は９枚の賞メダルを払出す制御を行う。一方、主制御用ＣＰＵ４０ａは、スイカ役の当選時にはずれ停止目に基づいてスイカ役の入賞を判定しない場合（スイカ役の取りこぼしを判定する場合）、１枚以上の賞メダルを付与しない制御を行う。
【００９６】
また、主制御用ＣＰＵ４０ａは、ベル役の入賞を判定する場合、９枚の賞メダルを払出す制御を行う。一方、主制御用ＣＰＵ４０ａは、ベル役の当選時にはずれ停止目に基づいてベル役の入賞を判定しない場合（ベル役の取りこぼしを判定する場合）、１枚以上の賞メダルを付与しない制御を行う。
【００９７】
また、主制御用ＣＰＵ４０ａは、特殊チェリー役の入賞を判定する場合、遊技状態に応じて６枚又は９枚の賞メダルを払出す制御を行う。一方、主制御用ＣＰＵ４０ａは、特殊チェリー役の当選時にはずれ停止目に基づいて特殊チェリー役の入賞を判定しない場合（特殊チェリー役の取りこぼしを判定する場合）、１枚以上の賞メダルを付与しない制御を行う。
【００９８】
また、主制御用ＣＰＵ４０ａは、通常リプレイ役（単独当選又は重複当選）の入賞を判定する場合、次の変動ゲームを再遊技させるための制御を行う。再遊技させるための制御において、主制御用ＣＰＵ４０ａは、入賞を判定した変動ゲームと同一のベット数を設定する。また、主制御用ＣＰＵ４０ａは、突入リプレイ役の入賞を判定する場合、次の変動ゲームを再遊技させるための制御を行う。なお、後述するようにこの場合に主制御用ＣＰＵ４０ａは、ＮＲＴ遊技を終了させて次の変動ゲームからＲＴ遊技に移行させる遊技状態の制御も合わせて行うことになる。
【００９９】
次に、主制御用ＣＰＵ４０ａが遊技状態に応じた変動ゲームに基づいて制御する遊技状態の移行の態様を図６に基づき説明する。
主制御用ＣＰＵ４０ａは、遊技状態を移行させる場合、移行先の遊技状態を示す状態指示コマンドをサブ制御基板４１（サブ制御用ＣＰＵ４１ａ）に出力する。この状態指示コマンドでは、主制御用ＣＰＵ４０ａで管理している遊技状態が何れの状態であるかをサブ制御基板４１（サブ制御用ＣＰＵ４１ａ）に認識させる。
【０１００】
そして、主制御用ＣＰＵ４０ａは、一般遊技で当選したＢＮ役の入賞を契機として次の変動ゲームからＢＮ遊技（ＢＮ）に移行させる。この場合に主制御用ＣＰＵ４０ａは、ＢＮ遊技の終了を契機に、当選時の遊技状態に関係なく次の変動ゲームからＮＲＴ遊技に移行させる。
【０１０１】
また、ＮＲＴ遊技の制御中、主制御用ＣＰＵ４０ａは、突入リプレイ役に当選して押し順正解に基づく突入リプレイ役の入賞（突入リプレイ停止目の停止表示）を契機として次の変動ゲームからＲＴ遊技に移行させる。また、このＮＲＴ遊技の制御中、主制御用ＣＰＵ４０ａは、突入リプレイ役に当選して押し順不正解や通常リプレイ役の当選に基づく通常リプレイ役の入賞（通常リプレイ停止目の停止表示）によっては次の変動ゲームからもＮＲＴ遊技を継続させる。
【０１０２】
すなわち、突入リプレイ役の当選時には、該突入リプレイ役の押し順正解して突入リプレイ停止目が停止表示されることで、ＲＴ遊技への移行条件が満たされる。一方、突入リプレイ役の当選時には、該突入リプレイ役の押し順不正解して突入リプレイ停止目が停止表示されないことで、ＲＴ遊技への移行条件が満たされないでＮＲＴ遊技が継続される。
【０１０３】
また、ＲＴ遊技の制御中、主制御用ＣＰＵ４０ａは、ベル役の当選に基づくベル役の取りこぼしの発生（はずれ停止目の停止表示）までＲＴ遊技を継続させる。このベル役の取りこぼしの発生を契機として遊技状態がＮＲＴ遊技に移行される。また、ＲＴ遊技の制御中、主制御用ＣＰＵ４０ａは、ベル役の当選に基づくベル役の入賞（ベル停止目の停止表示）によっては次の変動ゲームからもＲＴ遊技を継続させる。
【０１０４】
すなわち、ＲＴ遊技はベル役の取りこぼしさえ発生させなければ次のボーナス役の当選まで付与されることから、このＲＴ遊技で制御する変動ゲームの回数に関してはその上限を設けない所謂、「無限」ということになる。このようにしてＲＴ遊技では、ベル役の取りこぼしが回避される状況で継続される。また、このようなＲＴ遊技の終了後には、その後のＮＲＴ遊技で突入リプレイ停止目を停止表示させる状況で再びＲＴ遊技に移行される。
【０１０５】
次に、サブ制御用ＣＰＵ４１ａがサブ制御プログラムに基づき実行する変動ゲームに係る処理について説明する。
サブ制御用ＣＰＵ４１ａは、変動ゲーム開始コマンドや入賞指示コマンドの各種コマンドを入力すると、該コマンドに指定される内容に基づいて各種演出を実行させるように演出表示装置１４の表示内容などを制御する。また、サブ制御用ＣＰＵ４１ａは、状態指示コマンドを入力すると、遊技状態が何れの遊技状態に制御されているかを示すサブ用状態情報をサブ制御用ＲＡＭ４１ｃに記憶（設定）する。なお、サブ制御用ＣＰＵ４１ａは、サブ用状態情報を設定して主制御用ＣＰＵ４０ａが制御している遊技状態を把握している。また、サブ制御用ＣＰＵ４１ａは、変動ゲーム開始コマンドが入力される毎に各種演出に係る制御を行うようになっている。
【０１０６】
そして、サブ制御用ＣＰＵ４１ａは、演出表示装置１４の演出状態を、主制御用ＣＰＵ４０ａが制御している遊技状態に応じて制御するようになっている。なお、遊技者は、演出表示装置１４の演出状態に応じて変動ゲーム（遊技）を行うことになる。このような演出状態では、その種類から遊技状態を遊技者に把握させたり、遊技者が遊技を有利に行うことができるような演出を行ったりするようになっている。本実施形態における演出状態は、図７に示すように、複数種類に分類されている。
【０１０７】
そして、演出状態には、遊技状態が主にＮＲＴ遊技である場合に行われ得る通常演出状態がある。この場合に演出表示装置１４では、通常演出状態用の表示画面が画像表示される。この通常演出状態は、主にリプレイ役の当選確率が低確率抽選状態である場合に行われるとともに、ベル役の入賞を困難とするように演出が行われる。
【０１０８】
また、演出状態には、遊技状態が一般遊技であって主にＲＴ遊技である場合に行われるＡＲＴ演出状態がある。このようなＡＲＴ演出状態は、それぞれにスイカＡＲＴ、チェリーＡＲＴ、合流ＡＲＴの何れかの態様で行われる。この場合に演出表示装置１４では、スイカＡＲＴであればスイカＡＲＴ用の表示画面が、チェリーＡＲＴであればチェリーＡＲＴ用の表示画像が、合流ＡＲＴであれば合流ＡＲＴ用の表示画像がそれぞれ画像表示される。このＡＲＴ演出状態は、主にリプレイ役の当選確率が高確率抽選状態である場合に行われるとともに、ベル役の入賞を補助（アシスト）する演出が行われる。これにより、ＡＲＴ演出状態では、ベル役の取りこぼしの回避が補助されるとともにベル役の当選に基づく賞メダルの入賞が補助される。このため、ＡＲＴ演出状態は、遊技者にとって有利な状態となる。
【０１０９】
また、演出状態には、遊技状態がＢＮ遊技である場合に行われるＢＮ演出状態がある。この場合に演出表示装置１４では、ＢＮ演出状態用の表示画面が画像表示される。
本実施形態において、サブ制御用ＣＰＵ４１ａは、サブ制御用ＲＡＭ４１ｃに演出状態の種類を示す演出フラグ（情報）を設定することで、制御している演出状態を把握する。そして、サブ制御用ＣＰＵ４１ａは、演出フラグに対応する背景画像用の画像表示用データを選択するとともに、この選択した画像表示用データをもとに演出表示装置１４の表示内容（表示画面）を制御する。
【０１１０】
以下、各演出状態における制御内容について、演出表示装置１４における表示演出と合わせて説明する。
サブ制御用ＣＰＵ４１ａは、これから説明する各演出状態での制御を行う結果、図７に示す態様で演出状態を移行させるように制御する。本実施形態では、このように演出状態の移行を制御するサブ制御用ＣＰＵ４１ａが、遊技制御手段として機能する。
【０１１１】
最初に、通常演出状態における制御内容について説明する。
サブ制御用ＣＰＵ４１ａは、遊技状態が主にＮＲＴ遊技である場合、通常演出状態に制御する。なお、サブ制御用ＣＰＵ４１ａは、遊技状態がＲＴ遊技である場合にも通常演出状態に制御する場合がある。
【０１１２】
サブ制御用ＣＰＵ４１ａは、通常演出状態の制御中、当選役の当選及び入賞の指示に基づいた処理を行う。なお、ＮＲＴ遊技の通常演出状態の制御中には、ＢＮ役、通常チェリー役、スイカ役、ベル役、特殊チェリー役、突入リプレイ役、通常リプレイ役の当選及び入賞が指示され得る。
【０１１３】
そして、サブ制御用ＣＰＵ４１ａは、通常演出状態の制御中、ＢＮ役の入賞が指示される場合、ＢＮ演出状態に移行させるように制御する。これに合わせて遊技状態は、ＢＮ遊技に移行する。
【０１１４】
また、サブ制御用ＣＰＵ４１ａは、小役の中でも入賞に際してストップボタンの押し順を要するベル役の当選が指示される場合、押し順正解をナビゲート（ナビ）するような演出を行わせないように演出表示装置１４を制御する。すなわち、通常演出状態中には、ベル役の入賞を困難とするように演出が行われる。このため、通常演出状態中、遊技者はベル役の当選時にたまたま押し順正解となる場面でこれを入賞させ得る。
【０１１５】
また、サブ制御用ＣＰＵ４１ａは、通常演出状態の制御中、小役の中でも通常チェリー役、スイカ役、又は特殊チェリー役の当選が指示される場合、ＡＲＴ抽選を行うようになっている。このＡＲＴ抽選は、指定される当選役に基づいて所定の当選確率となるように当選及び非当選に乱数を振分けて行われる。また、このＡＲＴ抽選では、特殊チェリー役の当選時、これよりも役抽選での当選確率が高い通常チェリー役及びスイカ役に比してＡＲＴ抽選で突入の結果を導出し易くなっている。また、このＡＲＴ抽選は、当選役の入賞ではなく当選役の当選を契機として行われる。また、このＡＲＴ抽選では、当選の結果とする場合にＡＲＴ演出状態に移行させることが決定される一方、非当選の結果とする場合にＡＲＴ演出状態に移行させないことが決定される。
【０１１６】
なお、サブ制御用ＣＰＵ４１ａは、ＡＲＴ抽選や後述する各抽選に用いる乱数の値を所定の周期毎に更新する乱数更新処理（乱数生成処理）を実行する。また、これら各抽選に用いる乱数は、所定の周期毎に更新され、サブ制御用ＲＡＭ４１ｃに記憶されている。そして、サブ制御用ＣＰＵ４１ａは、各種抽選を行う際にその抽選で用いる乱数をサブ制御用ＲＡＭ４１ｃから取得し、該取得した乱数に基づき乱数抽選を行う。
【０１１７】
サブ制御用ＣＰＵ４１ａは、ＡＲＴ抽選に当選する場合、ＡＲＴ演出状態への移行を決定していることを示す情報（フラグ）をサブ制御用ＲＡＭ４１ｃに設定する。なお、サブ制御用ＣＰＵ４１ａは、ＡＲＴ演出状態に制御するのに合わせてＡＲＴ演出状態への移行を決定していることを示す情報をサブ制御用ＲＡＭ４１ｃから消去するように制御する。
【０１１８】
また、サブ制御用ＣＰＵ４１ａは、通常演出状態の制御中、突入リプレイ役の当選が指示される場合、突入リプレイ停止目を停止表示させるための押し順正解となる操作方法（ストップボタンの押し順）をナビゲート（ナビ）する「リプナビ演出」を行わせる場合がある。サブ制御用ＣＰＵ４１ａは、突入リプレイ役の当選が指示される場合、ＡＲＴ演出状態への移行を決定していることを示す情報がサブ制御用ＲＡＭ４１ｃに設定されている否かを確認する。そして、サブ制御用ＣＰＵ４１ａは、ＡＲＴ演出状態への移行を決定していることを示す情報が設定されている場合、リプナビ演出を行わせる。一方、サブ制御用ＣＰＵ４１ａは、ＡＲＴ演出状態への移行を決定していることを示す情報が設定されていない場合、リプナビ演出を行わせないようにする。
【０１１９】
本実施形態におけるリプナビ演出は、演出表示装置１４で行われる。演出表示装置１４では、図８（ａ）に示すように、ストップボタンを模した画像を３つ並べて表示させるとともに、３つのうちの一つに対して「１」の数字を付す態様で行われる。図８（ａ）の例では、３つのうち真ん中に「１」が付されていることから、ストップボタン３３Ｃを最初に操作すべきことを遊技者に把握させる。
【０１２０】
このようにしてサブ制御用ＣＰＵ４１ａは、変動ゲームの開始に伴ってリプナビ演出を行わせるように演出表示装置１４の表示内容を制御する。リプナビ演出では、当選した突入リプレイ役に基づく押し順正解を報知する内容で行われる。例えば、リプナビ演出では、中正解突入リプレイ役の当選が指定されていれば、ストップボタン３３Ｃを最初に操作する内容で行われる。
【０１２１】
また、サブ制御用ＣＰＵ４１ａは、通常演出状態の制御中、突入リプレイ役の入賞（突入リプレイ停止目の停止表示）が指示される場合、これを所定の条件の成立としてＡＲＴ演出状態に移行するように制御する。この場合にサブ制御用ＣＰＵ４１ａは、ＡＲＴ演出状態としてスイカＡＲＴ及びチェリーＡＲＴの何れかに制御する。これに合わせて遊技状態は、ＲＴ遊技に移行する。また、サブ制御用ＣＰＵ４１ａは、通常リプレイ役の入賞（通常リプレイ停止目の停止表示）が指示される場合、通常演出状態の制御を継続する。この場合に遊技状態は、その時の遊技状態が継続される。
【０１２２】
また、サブ制御用ＣＰＵ４１ａは、通常演出状態の制御中、ストップボタン３３Ｌが最初に操作されなければ、遊技者にとって不利な状況となるペナルティを付与する。例えば、ペナルティとしては、突入リプレイ役の入賞が指示されても演出状態をＡＲＴ演出状態に移行させないようにしたりする。また、突入リプレイ役には、ストップボタン３３Ｌの最初の操作を押し順正解とするものを含まないようにしている。これにより、通常演出状態中には、リプナビ演出が行われなければＡＲＴ演出状態に制御されないようにしている。なお、演出フラグには、ＡＲＴ演出状態を示す内容も設定されない。
【０１２３】
次に、ＡＲＴ演出状態における制御内容について説明する。
サブ制御用ＣＰＵ４１ａは、遊技状態が主にＲＴ遊技である場合、ＡＲＴ演出状態に制御する。また、サブ制御用ＣＰＵ４１ａは、遊技状態がＮＲＴ遊技である場合にもＡＲＴ演出状態に制御する場合がある。
【０１２４】
そして、サブ制御用ＣＰＵ４１ａは、制御中のＡＲＴ演出状態に応じて、当選役の当選及び入賞の指示に基づいた処理を行う。なお、ＲＴ遊技のＡＲＴ演出状態の制御中には、ＢＮ役、通常チェリー役、スイカ役、ベル役、特殊チェリー役、通常リプレイ役の当選及び入賞が指示され得る。
【０１２５】
サブ制御用ＣＰＵ４１ａは、ＡＲＴ演出状態の制御中、ＢＮ役の入賞が指示される場合、ＢＮ演出状態に移行するように制御する。これに合わせて遊技状態は、ＢＮ遊技に移行する。
【０１２６】
なお、サブ制御用ＣＰＵ４１ａは、ＢＮ演出状態に制御する場合、制御中のＡＲＴ演出状態に関する情報を記憶して、ＢＮ演出状態の終了後の通常演出状態を経由して該情報に基づいたＡＲＴ演出状態に復帰させるようにする。このため、サブ制御用ＣＰＵ４１ａは、ＡＲＴ演出状態中にＢＮ演出状態に制御する場合、該ＢＮ演出状態の終了後の通常演出状態の制御中、サブ制御用ＲＡＭ４１ｃにＡＲＴ演出状態への移行を決定していることを示す情報を設定して突入リプレイ役の当選時にリプナビ演出を行わせるように制御する。
【０１２７】
また、サブ制御用ＣＰＵ４１ａは、ＡＲＴ演出状態の制御中、小役の中でも入賞に際してストップボタンの押し順を要するベル役の当選が指示される場合、押し順正解をナビゲート（ナビ）する「ベルナビ演出」を行わせる。すなわち、ＡＲＴ演出状態中には、ベル役の入賞を補助（アシスト）する演出が行われる。このため、ＡＲＴ演出状態中、遊技者は、ベル役の取りこぼしの回避が補助されるとともにベル役の入賞が補助される。
【０１２８】
ベルナビ演出は、演出表示装置１４で行われるとともに、図８（ａ）に示すように、リプナビ演出と同様の態様で行われる。そして、サブ制御用ＣＰＵ４１ａは、変動ゲームの開始に伴ってベルナビ演出を行わせるように演出表示装置１４の表示内容を制御する。ベルナビ演出では、当選したベル役に基づく押し順正解を報知する内容で行われる。例えば、ベルナビ演出では、中正解ベル役の当選が指定されていれば、ストップボタン３３Ｃを最初に操作する内容で行われる。
【０１２９】
なお、ＡＲＴ演出状態の制御中には、ベル役の当選時にベルナビ演出が行われても停止操作を間違えてベル役の取りこぼしが生じ得る。この場合には、ベル役の取りこぼしにより遊技状態がＮＲＴ遊技に移行されてしまうが以下に説明するようなＡＲＴ演出状態と同様の処理（ＡＲＴ回数のカウントなど）が行われる。このようなＮＲＴ遊技のＡＲＴ演出状態の制御中には、突入リプレイ役にも当選し得るようになる。このため、このようなＮＲＴ遊技のＡＲＴ演出状態の制御中には、突入リプレイ役の当選時にリプナビ演出が行われてＲＴ遊技に移行されるように制御される。
【０１３０】
次に、ＡＲＴ演出状態の中でもスイカＡＲＴ及びチェリーＡＲＴの制御中の処理について説明する。
サブ制御用ＣＰＵ４１ａは、通常演出状態からＡＲＴ演出状態に移行するように制御する場合、有利遊技状態としてのスイカＡＲＴ及びチェリーＡＲＴの何れかに制御する。なお、サブ制御用ＣＰＵ４１ａは、スイカＡＲＴ及びチェリーＡＲＴの何れに制御するかを決定する。この決定では、スイカＡＲＴ及びチェリーＡＲＴの何れに移行させるかが均等な割合で決定される。以下の説明で、スイカＡＲＴとチェリーＡＲＴを「通常ＡＲＴ」という。
【０１３１】
また、サブ制御用ＣＰＵ４１ａは、通常ＡＲＴの制御中、制御中の通常ＡＲＴで行った変動ゲームの実行回数を通常ＡＲＴ毎にサブ制御用ＲＡＭ４１ｃでカウントする。サブ制御用ＣＰＵ４１ａは、通常演出状態からＡＲＴ演出状態に移行させる場合、サブ制御用ＲＡＭ４１ｃにスイカＡＲＴのＡＲＴ回数として「３０（回）」を設定するとともに、サブ制御用ＲＡＭ４１ｃにチェリーＡＲＴのＡＲＴ回数として「３０（回）」を設定する。サブ制御用ＣＰＵ４１ａは、制御中の通常ＡＲＴで変動ゲームが行われる毎に対応するＡＲＴ回数を減算（−１）して「０（零）」になるまで更新する。なお、サブ制御用ＣＰＵ４１ａは、図８（ｂ），（ｃ）に示すように、通常ＡＲＴの各ＡＲＴ回数を演出表示装置１４で遊技者に報知する。これにより、遊技者は、制御中の通常ＡＲＴで後述する継続抽選が行われるまで変動ゲームが継続される回数（残り回数）を把握する。本実施形態では、制御中の通常ＡＲＴのＡＲＴ回数が遊技者に報知される一方、非制御中の通常ＡＲＴのＡＲＴ回数が遊技者に報知されない。
【０１３２】
また、サブ制御用ＣＰＵ４１ａは、通常ＡＲＴの制御中、非制御中の通常ＡＲＴのＡＲＴ回数が「０（零）」でない待機中となる場合、各変動ゲームを対象として切換抽選を行うようになっている。この切換抽選は、指示される当選役に基づいて所定の当選確率となるように当選及び非当選に乱数を振分けて行われる。また、この切換抽選は、通常チェリー役、スイカ役、及び特殊チェリー役の当選が指示されない場合に行われる。また、この切換抽選は、当選役の入賞ではなく当選役の当選を契機として行われる。また、この切換抽選では、当選の結果とする場合に待機中の通常ＡＲＴに切り換えることが決定される一方、非当選の結果とする場合に待機中の通常ＡＲＴに切り換えられないことが決定される。
【０１３３】
そして、サブ制御用ＣＰＵ４１ａは、切換抽選に当選する場合、待機中の通常ＡＲＴがあれば該通常ＡＲＴに制御を切り換えるとともに、制御中の通常ＡＲＴを非制御の状態にして待機させる。この次の変動ゲームからは、制御中の通常ＡＲＴの表示画面から待機中の通常ＡＲＴの表示画面に切り換えるように演出表示装置１４の表示内容が制御される。この通常ＡＲＴの切換後には、変動ゲームが行われる毎に切り換えられた通常ＡＲＴのＡＲＴ回数が減算されるようになる。すなわち、図７に示すように、スイカＡＲＴからチェリーＡＲＴへの切換では、図８（ｃ）に示すチェリーＡＲＴ用の表示画面Ｇｂが画像表示されてチェリーＡＲＴのＡＲＴ回数が減算されるように演出表示装置１４の表示内容が切り換えられる。また、図７に示すように、チェリーＡＲＴからスイカＡＲＴへの切換では、図８（ｂ）に示すスイカＡＲＴ用の表示画面Ｇａが画像表示されてスイカＡＲＴのＡＲＴ回数が減算されるように演出表示装置１４の表示内容が切り換えられる。
【０１３４】
また、サブ制御用ＣＰＵ４１ａは、制御中の通常ＡＲＴのＡＲＴ回数が「０（零）」となる変動ゲームの次の変動ゲームから連続する５回の変動ゲームを対象として継続抽選を行うようになっている。なお、サブ制御用ＣＰＵ４１ａは、継続抽選の対象とする変動ゲームでは切換抽選を行わないようにしている。この継続抽選は、指示される当選役に基づいて所定の当選確率となるように当選及び非当選に乱数を振分けて行われる。また、この継続抽選は、当選役の入賞ではなく当選役の当選を契機として行われる。また、この継続抽選では、当選の結果とする場合に制御中の通常ＡＲＴの継続が決定される一方、非当選の結果とする場合に制御中の通常ＡＲＴの一旦終了が決定される。これら継続抽選の対象とする変動ゲームは、それまで制御中の通常ＡＲＴとして制御されるとともに、それまで制御中の通常ＡＲＴ状態の表示画面が維持される。この場合、演出フラグには、それまで制御中の通常ＡＲＴを示す情報が設定されている。
【０１３５】
なお、サブ制御用ＣＰＵ４１ａは、通常演出状態からＡＲＴ演出状態に移行するように制御する場合、継続抽選の対象となる変動ゲームを通して当選に期待できる割合を示す継続率を複数（例えば、３種類）の中から決定し、通常演出状態からＡＲＴ演出状態に移行された後の継続抽選で共通に用いる。
【０１３６】
そして、サブ制御用ＣＰＵ４１ａは、これら継続抽選の対象とする変動ゲームの何れかの継続抽選で当選の結果を導出する場合、制御中の通常ＡＲＴのＡＲＴ回数に「３０」を再設定して、該通常ＡＲＴをさらに継続させるように制御する。これにより、ＡＲＴ演出状態での変動ゲームが継続して延長される。
【０１３７】
また、サブ制御用ＣＰＵ４１ａは、これら継続抽選の対象とする変動ゲームの何れの継続抽選でも当選の結果を導出しない場合、待機中の通常ＡＲＴがあれば該通常ＡＲＴに制御を切り換えるとともに、制御中の通常ＡＲＴを非制御の状態にして一旦終了させる。すなわち、図７に示すように、スイカＡＲＴの一旦終了時には、チェリーＡＲＴが待機中であれば図８（ｃ）に示すチェリーＡＲＴ用の表示画面Ｇｂが画像表示されるように演出表示装置１４の表示内容が切り換えられる。また、図７に示すように、チェリーＡＲＴの一旦終了時には、スイカＡＲＴが待機中であれば図８（ｂ）に示すスイカＡＲＴ用の表示画面Ｇａが画像表示されるように演出表示装置１４の表示内容が切り換えられる。
【０１３８】
また、サブ制御用ＣＰＵ４１ａは、これら継続抽選の対象とする変動ゲームの何れの継続抽選でも当選の結果を導出しない場合、待機中の通常ＡＲＴがなければ制御中の通常ＡＲＴを非制御の状態にして一旦終了させるとともに、ＡＲＴ演出状態を終了させて通常演出状態に移行するように制御する。すなわち、図７に示すように、ＡＲＴ演出状態中には、スイカＡＲＴ及びチェリーＡＲＴが一旦終了されることを終了条件として次の変動ゲームから通常演出状態に移行される。この場合には、通常演出状態に移行されるが遊技状態としてＲＴ遊技に維持される。このような通常演出状態中は、ＲＴ遊技であってもベル役の入賞が困難なことから、ベル役の取りこぼしの発生によりＮＲＴ遊技の通常演出状態へと移行する。
【０１３９】
また、サブ制御用ＣＰＵ４１ａは、通常ＡＲＴの制御中、小役の中でも通常チェリー役やスイカ役の当選が指示される場合、通常ＡＲＴのＡＲＴ回数を加算して上乗せする。本実施形態では、このように通常ＡＲＴのＡＲＴ回数を上乗せすることで、対応する通常ＡＲＴによる遊技期間が延長され、さらにはＡＲＴ演出状態での遊技期間の延長に繋がる。すなわち、本実施形態では、「ＡＲＴ回数」が「遊技期間」となるとともに「ＡＲＴ回数の上乗せ」が「遊技期間の延長」となる。また、サブ制御用ＣＰＵ４１ａは、通常ＡＲＴの制御中にＡＲＴ回数の上乗せする場合、当選役及び制御中のＡＲＴ演出状態の種類に応じて、上乗せの対象とする通常ＡＲＴと上乗せする回数を定めている。なお、サブ制御用ＣＰＵ４１ａは、通常ＡＲＴの制御中の継続抽選の対象とする変動ゲームでも上乗せを行うようにしている。
【０１４０】
以下、通常ＡＲＴの制御中におけるＡＲＴ回数の上乗せについて図９及び図１０に基づき詳しく説明する。
待機中の通常ＡＲＴがある場合には、図９に示すようにして上乗せされる。
【０１４１】
すなわち、サブ制御用ＣＰＵ４１ａは、スイカＡＲＴの制御中、スイカ役の当選が指示される場合、制御中のスイカＡＲＴのＡＲＴ回数を対象に「３０」を加算して上乗せするように更新する。すなわち、スイカＡＲＴの制御中には、スイカ役の当選をスイカＡＲＴ用の上乗せ条件（延長条件）に定めている。一方、サブ制御用ＣＰＵ４１ａは、スイカＡＲＴの制御中、通常チェリー役の当選が指示される場合、待機中のチェリーＡＲＴのＡＲＴ回数を対象に「１０」を加算して上乗せするように更新する。
【０１４２】
また、サブ制御用ＣＰＵ４１ａは、チェリーＡＲＴの制御中、通常チェリー役の当選が指示される場合、制御中のチェリーＡＲＴのＡＲＴ回数を対象に「３０」を加算して上乗せするように更新する。すなわち、チェリーＡＲＴの制御中には、通常チェリー役の当選をチェリーＡＲＴ用の上乗せ条件（延長条件）に定めている。一方、サブ制御用ＣＰＵ４１ａは、チェリーＡＲＴの制御中、スイカ役の当選が指示される場合、待機中のスイカＡＲＴのＡＲＴ回数を対象に「１０」を加算して上乗せするように更新する。
【０１４３】
このため、チェリーＡＲＴを待機中とするスイカＡＲＴの制御中には、チェリーＡＲＴ用の上乗せ条件が到来すると、待機中のチェリーＡＲＴのＡＲＴ回数が上乗せされる。また、スイカＡＲＴを待機中とするチェリーＡＲＴの制御中には、スイカＡＲＴの上乗せ条件が到来すると、待機中のスイカＡＲＴのＡＲＴ回数が上乗せされる。その結果、待機中の通常ＡＲＴがある場合の通常ＡＲＴの制御中には、制御中の通常ＡＲＴ用の上乗せ条件だけでなく、待機中の通常ＡＲＴ用の上乗せ条件が到来してもＡＲＴ回数の上乗せがなされてＡＲＴ演出状態での遊技期間が延長される。また、待機中の通常ＡＲＴがある場合の通常ＡＲＴの制御中には、制御中の通常ＡＲＴのＡＲＴ回数の上乗せだけでなく、待機中の通常ＡＲＴのＡＲＴ回数が上乗せされる。
【０１４４】
また、チェリーＡＲＴを待機中とするスイカＡＲＴの制御中には、チェリーＡＲＴ用の上乗せ条件の到来に比してスイカＡＲＴ用の上乗せ条件による上乗せの回数を多くしている。また、スイカＡＲＴを待機中とするチェリーＡＲＴの制御中には、スイカＡＲＴ用の上乗せ条件の到来に比してチェリーＡＲＴ用の上乗せ条件による上乗せの回数を多くしている。その結果、待機中の通常ＡＲＴがある場合の通常ＡＲＴの制御中には、待機中の通常ＡＲＴ用の上乗せ条件の到来に比して制御中の通常ＡＲＴ用の上乗せ条件による上乗せが優遇される。
【０１４５】
また、一旦終了された通常ＡＲＴがある場合には、図１０に示すようにして上乗せされる。
すなわち、サブ制御用ＣＰＵ４１ａは、一旦終了された通常ＡＲＴがある場合の通常ＡＲＴの制御中、一旦終了された通常ＡＲＴ用の上乗せ条件の到来時、該一旦終了された通常ＡＲＴを待機中となるように復活させるか否かを決定する復活抽選を行うようになっている。この復活抽選は、所定の当選確率となるように当選及び非当選に乱数を振分けて行われる。また、この復活抽選では、当選の結果とする場合に一旦終了中の通常ＡＲＴの復活が決定される一方、非当選の結果とする場合に一旦終了中の通常ＡＲＴの復活が決定されない。そして、サブ制御用ＣＰＵ４１ａは、復活抽選で当選の結果とする場合、一旦終了された通常ＡＲＴのＡＲＴ回数に「１０」を上乗せ（加算）して待機中となるようにする。
【０１４６】
このため、チェリーＡＲＴが一旦終了されているスイカＡＲＴの制御中には、チェリーＡＲＴ用の上乗せ条件が到来すると、一旦終了されているチェリーＡＲＴが復活され得る。また、スイカＡＲＴが一旦終了されているチェリーＡＲＴの制御中には、スイカＡＲＴ用の上乗せ条件が到来すると、一旦終了されているスイカＡＲＴが復活され得る。その結果、一旦終了された通常ＡＲＴがある場合の通常ＡＲＴの制御中には、制御中の通常ＡＲＴ用の上乗せ条件だけでなく、一旦終了されている通常ＡＲＴ用の上乗せ条件が到来してもＡＲＴ演出状態での遊技期間の延長に繋がる。
【０１４７】
また、通常ＡＲＴの制御中には、待機中や一旦終了されている通常ＡＲＴのＡＲＴ回数を対象に上乗せ（復活）を達成していると、途中で通常ＡＲＴが切り換わっても先に上乗せされた分もＡＲＴ演出状態で遊技を行い得るようになる。このため、通常ＡＲＴの制御中には、制御中の通常ＡＲＴのＡＲＴ回数を対象に上乗せを達成するだけでなく、待機中や一旦終了されている通常ＡＲＴのＡＲＴ回数を対象に上乗せ（復活）を達成することでＡＲＴ演出状態での遊技期間の延長に繋がる。
【０１４８】
次に、ＡＲＴ演出状態の中でも合流ＡＲＴの制御中の処理について説明する。
サブ制御用ＣＰＵ４１ａは、通常ＡＲＴの制御中、特殊チェリー役の当選が指示される特殊条件が成立すると次の変動ゲームから特殊遊技状態となる合流ＡＲＴに移行するように制御する。この場合には、特殊チェリー役が入賞しなくても当選を契機として特殊条件の成立としている。すなわち、図７に示すように、通常ＡＲＴの制御中の特殊チェリー役の当選後には、図８（ｄ）に示す合流ＡＲＴ用の表示画面Ｇｃが表示されるように演出表示装置１４の表示内容が切り換わる。
【０１４９】
また、サブ制御用ＣＰＵ４１ａは、合流ＡＲＴの制御中の各変動ゲームを対象として合流継続抽選を行うようになっている。この合流継続抽選は、指示される当選役に基づいて所定の当選確率となるように当選及び非当選に乱数を振分けて行われる。また、この合流継続抽選は、当選役の入賞ではなく当選役の当選を契機として行われる。また、この合流継続抽選では、当選の結果とする場合に合流ＡＲＴの継続が決定される一方、非当選の結果とする場合に合流ＡＲＴの転落が決定される。
【０１５０】
なお、サブ制御用ＣＰＵ４１ａは、通常ＡＲＴから合流ＡＲＴに移行するように制御する場合、合流継続抽選の対象となる変動ゲームを通して当選に期待できる割合を示す継続率を複数（例えば、３種類）の中から決定し、通常ＡＲＴから合流ＡＲＴに移行された後の合流継続抽選で共通に用いる。
【０１５１】
そして、サブ制御用ＣＰＵ４１ａは、合流継続抽選で非当選の結果を導出する場合、スイカＡＲＴ及びチェリーＡＲＴの何れかに制御する。なお、サブ制御用ＣＰＵ４１ａは、スイカＡＲＴ及びチェリーＡＲＴの何れに制御するかを決定する。この決定では、スイカＡＲＴ及びチェリーＡＲＴの何れに移行させるかが均等な割合で決定される。すなわち、図７に示すように、合流ＡＲＴの転落時には、図８（ｂ）に示すスイカＡＲＴ用の表示画面Ｇａ及び図８（ｃ）に示すチェリーＡＲＴ用の表示画面Ｇｂの何れかが表示されるように演出表示装置１４の表示内容が切り換わる。なお、合流ＡＲＴの制御中には、通常ＡＲＴの何れのＡＲＴ回数のカウントも行われない。このため、合流ＡＲＴの制御中には、ＡＲＴ演出状態の終了条件が成立し得ない。
【０１５２】
また、サブ制御用ＣＰＵ４１ａは、合流ＡＲＴの制御中、小役の中でも通常チェリー役やスイカ役や特殊チェリー役の当選が指示される場合、通常ＡＲＴのＡＲＴ回数を加算して上乗せする。なお、サブ制御用ＣＰＵ４１ａは、合流ＡＲＴの制御中の場合、通常ＡＲＴの各ＡＲＴ回数を対象に上乗せするように定めている。
【０１５３】
このため、本実施形態では、ＡＲＴ演出状態の制御中、スイカＡＲＴやチェリーＡＲＴや合流ＡＲＴの何れの制御中でもＡＲＴ演出状態の遊技期間の延長に繋がるＡＲＴ回数の上乗せが可能とされる。また、このようなＡＲＴ回数の上乗せは、毎変動ゲームの開始に必須となる役抽選に基づいて行われることから、ＡＲＴ演出状態の制御中のどの変動ゲームでもＡＲＴ演出状態の遊技期間の延長に繋がるＡＲＴ回数の上乗せが可能とされる。
【０１５４】
以下、合流ＡＲＴの制御中におけるＡＲＴ回数の上乗せについて図１１に基づき詳しく説明する。
すなわち、サブ制御用ＣＰＵ４１ａは、合流ＡＲＴの制御中、スイカ役、通常チェリー役、又は特殊チェリー役の当選が指示される場合、「６０」をＡＲＴ回数として上乗せすることを決定する。
【０１５５】
サブ制御用ＣＰＵ４１ａは、合流ＡＲＴの制御中、ＡＲＴ回数を上乗せする場合、該上乗せする回数を一旦、サブ制御用ＲＡＭ４１ｃに記憶する。また、サブ制御用ＣＰＵ４１ａは、合流ＡＲＴの制御中、ＡＲＴ回数を複数回上乗せする場合、複数回分の上乗せの回数を累積してサブ制御用ＲＡＭ４１ｃに記憶する。そして、サブ制御用ＣＰＵ４１ａは、合流ＡＲＴの転落時、サブ制御用ＲＡＭ４１ｃに記憶した上乗せの回数を通常ＡＲＴの各ＡＲＴ回数に均等に割り振るようにしている。例えば、合流ＡＲＴの制御中に「６０」の上乗せがあった場合には、通常ＡＲＴの各ＡＲＴ回数に「３０」をそれぞれ割り振る。なお、サブ制御用ＣＰＵ４１ａは、合流ＡＲＴの制御中、一旦終了されている通常ＡＲＴを対象としては復活抽選を行うことなく対応するＡＲＴ回数を上乗せ（復活）する。
【０１５６】
このため、合流ＡＲＴの制御中には、スイカＡＲＴ用の上乗せ条件とチェリーＡＲＴ用の上乗せ条件の何れかが到来すると、通常ＡＲＴの各ＡＲＴ回数が上乗せされる。また、合流ＡＲＴの制御中には、通常ＡＲＴの各ＡＲＴ回数が均等に上乗せされる。すなわち、合流ＡＲＴの制御中に上乗せしたＡＲＴ回数に関しては、通常ＡＲＴの各ＡＲＴ回数に対して均等に振分けるようにすることで、合流ＡＲＴを経由すると通常ＡＲＴの何れも行われ得るようになる。
【０１５７】
また、合流ＡＲＴの制御中には、通常ＡＲＴの制御中における上乗せ条件の到来に比して上乗せの回数を多くしている。また、合流ＡＲＴの制御中には、通常ＡＲＴの各ＡＲＴ回数で言えば制御中の通常ＡＲＴの上乗せ条件に基づく上乗せの回数と同一にしている。その結果、合流ＡＲＴの制御中には、通常ＡＲＴの制御中における上乗せ条件の到来に比して上乗せが優遇される。
【０１５８】
また、合流ＡＲＴの制御中は、何れの通常ＡＲＴ用の上乗せ条件が到来しても上乗せが行われることから上乗せのチャンスが高まる状態でもある。また、この合流ＡＲＴの制御中は、何れの通常ＡＲＴ用の上乗せ条件が到来しても上乗せが優遇されることから上乗せの回数が多くなり易い状態でもある。このため、合流ＡＲＴの制御中は、ＡＲＴ演出状態を継続させつつ上乗せへの期待が高まる遊技者にとって有利な状態となる。
【０１５９】
一方、こういった合流ＡＲＴの制御中は、通常ＡＲＴの各ＡＲＴ回数を延長可能であるのにこれらＡＲＴ回数自体を消化してしまっていては、こういったＡＲＴ回数の上乗せ自体が無意味になってしまう。そこで、こういった合流ＡＲＴの制御中には、通常ＡＲＴの各ＡＲＴ回数を消化することなく行われる構成とすることで、合流ＡＲＴの制御中の上乗せが効果的に行われる。
【０１６０】
したがって、通常ＡＲＴの制御中、遊技者は通常ＡＲＴの上乗せに期待を抱きつつこういった合流ＡＲＴへの移行にも期待を抱き得る。そして、本実施形態では、通常ＡＲＴの制御中に特殊チェリー役の当選を契機として合流ＡＲＴに移行される。また、この特殊チェリー役に当選した場合には、図１２（ａ）に示すように、図１２（ｂ）に示すスイカ停止目と図１２（ｃ）に示す通常チェリー停止目とを組み合わせた特殊チェリー停止目が停止表示され得る。この場合には、左リール１３Ｌ及び中リール１３Ｃの停止表示時、上段に［スイカ・スイカ］及び中段に「チェリー」が停止表示されると、恰もスイカ役や通常チェリー役に当選しているかのように演出表現される。すなわち、通常ＡＲＴの制御中には、スイカＡＲＴ及びチェリーＡＲＴのそれぞれに対応するＡＲＴ回数の上乗せに期待を抱かせ得る。その結果、特殊チェリー役の当選時には、全てのリールが停止表示されるまでの間、スイカＡＲＴ用の上乗せ条件とチェリーＡＲＴ用の上乗せ条件だけでなく、合流ＡＲＴの移行にも期待を抱かせ得る。
【０１６１】
次に、ＢＮ演出状態における制御内容について説明する。
サブ制御用ＣＰＵ４１ａは、遊技状態がＢＮ遊技である間、ＢＮ演出状態に制御する。
そして、サブ制御用ＣＰＵ４１ａは、各演出状態からＢＮ演出状態に制御する場合、主制御用ＣＰＵ４０ａが管理するＢＮ払出枚数に対応する枚数を、演出表示装置１４で遊技者に報知する。なお、サブ制御用ＣＰＵ４１ａは、主制御用ＣＰＵ４０ａからの各種コマンドから当選役や賞態様を特定する結果、主制御用ＣＰＵ４０ａが管理するＢＮ払出枚数に対応する枚数を把握し得る。
【０１６２】
また、サブ制御用ＣＰＵ４１ａは、ＢＮ遊技の終了が指示される場合、ＢＮ演出状態の制御を終了し、次の変動ゲームから通常演出状態に制御する。この場合には、遊技状態がＮＲＴ遊技に移行されている。
【０１６３】
また、サブ制御用ＣＰＵ４１ａは、ＢＮ演出状態に制御している場合、指定される当選役に基づいた演出を行わせるとともに、これら当選役の入賞に基づいて演出を行わせるように演出表示装置１４の表示内容を制御する。そして、サブ制御用ＣＰＵ４１ａは、ベル役の当選が指定される場合、ＡＲＴ演出状態と同様に、ベルナビ演出を行わせる。このため、ＢＮ演出状態に制御される変動ゲームでは、ベル停止目により賞メダルを好適に獲得できる。
【０１６４】
このように構成された本実施形態において、ＡＲＴ演出状態中における通常ＡＲＴに対応する各ＡＲＴ回数の変化態様について図１３（ａ）〜（ｌ）に基づき説明する。
図１３（ａ）は、通常演出状態からＡＲＴ演出状態への移行時（突入時）であってスイカＡＲＴの制御中となる場合を示している。すなわち、各ＡＲＴ回数は、スイカＡＲＴとチェリーＡＲＴが共に「３０」となる。そして、スイカＡＲＴの制御中であって対応するＡＲＴ回数「３０」が遊技者に報知される状態となる。なお、チェリーＡＲＴは待機中となっている。
【０１６５】
図１３（ｂ）は、続いてスイカＡＲＴで２０回の変動ゲームが消化され、さらにこの間に待機中のチェリーＡＲＴ用の上乗せ条件が到来している場合を示している。すなわち、各ＡＲＴ回数は、スイカＡＲＴが消化分を減算した「１０」となるとともに、チェリーＡＲＴが上乗せ分を加算した「４０」となる。そして、スイカＡＲＴの制御中であって対応するＡＲＴ回数「１０」が遊技者に報知される状態となる。なお、チェリーＡＲＴは待機中となっている。
【０１６６】
図１３（ｃ）は、続いてスイカＡＲＴで５回の変動ゲームの消化時に切換抽選に当選した場合を示している。すなわち、各ＡＲＴ回数は、スイカＡＲＴが消化分を減算した「５」となるとともに、チェリーＡＲＴが「４０」となる。そして、チェリーＡＲＴの制御中に切り換えられて対応するＡＲＴ回数「４０」が遊技者に報知される状態となる。なお、スイカＡＲＴは待機中となっている。
【０１６７】
図１３（ｄ）は、続いてチェリーＡＲＴで３０回の変動ゲームが消化され、さらにこの間に制御中のチェリーＡＲＴ用の上乗せ条件が到来している場合を示している。すなわち、各ＡＲＴ回数は、スイカＡＲＴが「５」となるとともに、チェリーＡＲＴが消化分を減算して上乗せ分を加算した「４０」となる。そして、チェリーＡＲＴの制御中であって対応するＡＲＴ回数「４０」が遊技者に報知される状態となる。なお、スイカＡＲＴは待機中となっている。
【０１６８】
図１３（ｅ）は、続いてチェリーＡＲＴで４０回の変動ゲームが消化され、さらにこの間に待機中のスイカＡＲＴ用の上乗せ条件が到来（２回）している場合を示している。すなわち、各ＡＲＴ回数は、スイカＡＲＴが上乗せ分を加算した「２５」となるとともに、チェリーＡＲＴが消化分を減算した「０（零）」となる。そして、チェリーＡＲＴの制御中であって継続抽選が行われる状態となる。なお、スイカＡＲＴは待機中となっている。
【０１６９】
図１３（ｆ）は、続いてチェリーＡＲＴに基づく継続抽選で当選の結果が導出される場合を示している。すなわち、各ＡＲＴ回数は、スイカＡＲＴが「２５」となるとともに、チェリーＡＲＴが継続抽選の当選分を加算した「３０」となる。そして、チェリーＡＲＴの制御中であって対応するＡＲＴ回数「３０」が遊技者に報知される状態となる。なお、スイカＡＲＴは待機中となっている。
【０１７０】
図１３（ｇ）は、続いてチェリーＡＲＴで１０回の変動ゲームの消化時に特殊チェリー役に当選する場合を示している。すなわち、各ＡＲＴ回数は、スイカＡＲＴが「２５」となるとともに、チェリーＡＲＴが消化分を減算した「２０」となる。そして、合流ＡＲＴの制御中に切り換えられて合流ＡＲＴであることが遊技者に報知される状態となる。なお、スイカＡＲＴ及びチェリーＡＲＴは待機中となっている。
【０１７１】
図１３（ｈ）は、続いて合流ＡＲＴで３０回の変動ゲームの消化時に合流ＡＲＴが終了されてスイカＡＲＴの制御中となり、さらにこの間に何れかの通常ＡＲＴ用の上乗せ条件や特殊チェリー役が到来している場合を示している。すなわち、各ＡＲＴ回数は、スイカＡＲＴが合流ＡＲＴの制御中の上乗せ分を加算した「５５」となるとともに、チェリーＡＲＴが合流ＡＲＴの制御中の上乗せ分を加算した「５０」となる。そして、スイカＡＲＴの制御中であって対応するＡＲＴ回数「５５」が遊技者に報知される状態となる。なお、チェリーＡＲＴは待機中となっている。
【０１７２】
図１３（ｉ）は、続いてスイカＡＲＴで５５回の変動ゲームが消化されて継続抽選で非当選の結果が導出され、チェリーＡＲＴの制御中となる場合を示している。すなわち、各ＡＲＴ回数は、スイカＡＲＴが消化分を減算してさらに継続抽選の非当選による「０（零）」となるとともに、チェリーＡＲＴが「５０」となる。そして、チェリーＡＲＴの制御中であって対応するＡＲＴ回数「５０」が遊技者に報知される状態となる。なお、スイカＡＲＴは一旦終了された状態となっている。
【０１７３】
図１３（ｊ）は、続いてチェリーＡＲＴで４０回の変動ゲームが消化され、さらにこの間に一旦終了されているスイカＡＲＴ用の上乗せ条件が到来して復活抽選で当選の結果が導出される場合を示している。すなわち、各ＡＲＴ回数は、スイカＡＲＴが復活による上乗せ分を加算した「１０」となるとともに、チェリーＡＲＴが消化分を減算した「１０」となる。そして、チェリーＡＲＴの制御中であって対応するＡＲＴ回数「１０」が遊技者に報知される状態となる。なお、スイカＡＲＴは復活することで一旦終了された状態から待機中となっている。
【０１７４】
図１３（ｋ）は、続いてチェリーＡＲＴで１０回の変動ゲームが消化されて継続抽選で非当選の結果が導出され、スイカＡＲＴの制御中となる場合を示している。すなわち、各ＡＲＴ回数は、スイカＡＲＴが「１０」となるとともに、チェリーＡＲＴが消化分を減算してさらに継続抽選の非当選による「０（零）」となる。そして、スイカＡＲＴの制御中であって対応するＡＲＴ回数「１０」が遊技者に報知される状態となる。なお、チェリーＡＲＴは一旦終了された状態となっている。
【０１７５】
図１３（ｌ）は、続いてスイカＡＲＴで１０回の変動ゲームが消化されて継続抽選で非当選の結果が導出され、ＡＲＴ演出状態が終了される場合を示している。すなわち、各ＡＲＴ回数は、スイカＡＲＴが消化分を減算してさらに継続抽選の非当選による「０（零）」となるとともに、チェリーＡＲＴが「０（零）」となる。そして、ＡＲＴ演出状態が終了されることが遊技者に報知される状態となる。
【０１７６】
したがって、本実施形態によれば、以下に示す効果を得ることができる。
（１）通常ＡＲＴの制御中には、制御中の通常ＡＲＴのＡＲＴ回数を上乗せ可能とするだけでなく、制御中でない通常ＡＲＴに定めた上乗せ条件の到来によっては該制御中でない通常ＡＲＴのＡＲＴ回数の上乗せも可能に構成した。このため、通常ＡＲＴの上乗せに関して、遊技者は制御中でない通常ＡＲＴに定めた上乗せ条件の到来にも期待を持つことができるようになる。その結果、ＡＲＴ演出状態での変動ゲームが行われている間の興趣を向上させることができる。
【０１７７】
（２）通常ＡＲＴの制御中には、制御中の通常ＡＲＴのＡＲＴ回数を対象に上乗せを達成しているとその分もＡＲＴ演出状態で変動ゲームを行い得る。さらに、この通常ＡＲＴの制御中には、制御中でない通常ＡＲＴのＡＲＴ回数を対象に上乗せを達成していると、途中で制御中でない通常ＡＲＴに切り換わっても先に上乗せさせた分もＡＲＴ演出状態で変動ゲームを行い得るようになる。このため、通常ＡＲＴの制御中には、制御中の通常ＡＲＴのＡＲＴ回数を対象に上乗せを達成するだけでなく、制御中でない通常ＡＲＴのＡＲＴ回数を対象に上乗せを達成することでＡＲＴ演出状態での遊技期間を延長させ得るようになる。その結果、通常ＡＲＴの制御中、制御中でない通常ＡＲＴに定めた上乗せ条件の到来に対する期待を向上させることができる。
【０１７８】
（３）有利な状態での遊技を行うようにする仕様としては、複数の有利な状態を備え、有利な状態毎に継続ゲーム数を加算可能な条件を定めるようなものもある。そうすると、特定の有利な状態での遊技で継続ゲーム数を加算可能な条件も他の有利な状態での遊技では、何の恩恵もないことになる。すなわち、特定の有利な状態での遊技で継続ゲーム数を加算可能な条件の到来も、特定の有利な状態での遊技でなければ何の意味も成さないことになり、遊技者に不利益を与える可能性がある。そこで、ＡＲＴ演出状態での変動ゲームが行われている間における遊技者の不利益を防止するために、通常ＡＲＴの制御中には、制御中の通常ＡＲＴのＡＲＴ回数を上乗せ可能とするだけでなく、制御中でない通常ＡＲＴに定めた上乗せ条件の到来によっては該制御中でない通常ＡＲＴのＡＲＴ回数の延長も可能に構成した。さらに、このような通常ＡＲＴの制御中には、制御中の通常ＡＲＴに定めた上乗せ条件の到来によるＡＲＴ回数の上乗せを制御中でない通常ＡＲＴに定めた上乗せ条件の到来よりも優遇するようにした。このため、制御中の通常ＡＲＴに定めた上乗せ条件をこの制御中に到来させたことによる対価というものを維持させながら遊技者の不利益を防止することができる。
【０１７９】
（４）役抽選は変動ゲームを行う場合に必須となる開始操作を契機に行われることから、ＡＲＴ演出状態での各変動ゲームでＡＲＴ演出状態での変動ゲームを延長させるチャンスが与えられるようになる。このため、ＡＲＴ演出状態での変動ゲームが行われている間の興趣を向上させることができる。
【０１８０】
（５）遊技期間の延長として通常ＡＲＴで行われるＡＲＴ回数を上乗せすることで、遊技期間の延長に際しては通常ＡＲＴでの遊技期間が確実に延長されるようになる。このため、遊技期間の延長による恩恵を確実に遊技者に与えることができる。
【０１８１】
（６）通常ＡＲＴの制御中には、特殊条件の成立を契機として各通常ＡＲＴに定めた上乗せ条件の何れの到来によっても通常ＡＲＴのＡＲＴ回数を上乗せ可能にする合流ＡＲＴに制御するように構成した。このため、通常ＡＲＴの延長に関して、合流ＡＲＴであれば、各通常ＡＲＴに定めた上乗せ条件の何れの到来にも期待を持つことができるようになる。その結果、ＡＲＴ演出状態での変動ゲームが行われている間の興趣を向上させることができる。
【０１８２】
（７）合流ＡＲＴの制御中には、この間における上乗せ条件の到来によるＡＲＴ回数の延長を通常ＡＲＴの制御中における制御中でない通常ＡＲＴに定めた上乗せ条件の到来よりも優遇するようにした。このような合流ＡＲＴの制御中には、直前まで制御中であった通常ＡＲＴに比して上乗せ条件の到来場面が増加することから、直前まで制御中であった通常ＡＲＴに比してＡＲＴ回数の上乗せの回数が多くなり易いようになる。このため、通常ＡＲＴの制御中には合流ＡＲＴに制御されることに対する期待を向上させることができる。
【０１８３】
（８）スイカＡＲＴの制御中には、スイカ役に当選する場合、すなわちスイカ停止目が停止表示され得る場面でＡＲＴ回数を上乗せ可能な一方、チェリーＡＲＴの制御中には、通常チェリー役に当選する場合、すなわち通常チェリー停止目が停止表示され得る場面でＡＲＴ回数を上乗せ可能とするようになる。さらに、これら通常ＡＲＴの制御中には、特殊チェリー役に当選する場合、すなわち特殊チェリー停止目が停止表示され得る場面を契機に合流ＡＲＴに制御されるようになる。そして、特殊チェリー停止目が停止表示される場面では、停止操作の途中でスイカ停止目、通常チェリー停止目、及び特殊チェリー停止目の何れも停止表示される可能性のある状況を創出し得る。このため、スイカ役、通常チェリー役、及び特殊チェリー役の当選役に当選する場面では、遊技の結果を推測させながら遊技者に停止操作を行わせることができるようになる。
【０１８４】
また、役抽選は遊技を行う場合に必須となる開始操作を契機に行われることから、通常ＡＲＴでの各変動ゲームで通常ＡＲＴのＡＲＴ回数を上乗せさせるチャンスに加えて合流ＡＲＴに制御されるチャンスが与えられるようになるとともに、合流ＡＲＴでの各変動ゲームで通常ＡＲＴのＡＲＴ回数を上乗せさせるチャンスが与えられるようになる。このため、通常ＡＲＴや合流ＡＲＴでの遊技が行われている間の興趣を向上させることができる。
【０１８５】
（９）合流ＡＲＴで通常ＡＲＴのＡＲＴ回数を上乗せ可能であるのに該ＡＲＴ回数自体を消化してしまっていては、通常ＡＲＴのＡＲＴ回数の上乗せ自体が無意味になってしまう。そこで、合流ＡＲＴを通常ＡＲＴのＡＲＴ回数を消化することなく行われる構成とすることで、合流ＡＲＴにおける通常ＡＲＴのＡＲＴ回数の上乗せ効果を好適に作用させることができる。
【０１８６】
（１０）合流ＡＲＴの制御中に上乗せしたＡＲＴ回数に関しては、各通常ＡＲＴに対して振分けるようにすることで、該合流ＡＲＴを経由すると各通常ＡＲＴでの変動ゲームを行い得るようになる。これにより、合流ＡＲＴの経由後の変動ゲームに変化を与えることもできるようになり合流ＡＲＴの経由後の遊技の興趣の向上に寄与することができる。
【０１８７】
なお、上記実施形態は以下のように変更してもよい。
・本実施形態では、遊技期間を延長させるためにＡＲＴ回数を上乗せするようにしたが、継続抽選の継続率を高めることで遊技期間を延長させたり、合流継続抽選の継続率を高めることで遊技期間を延長させたりすることもできる。
【０１８８】
・本実施形態では、ＡＲＴ演出状態（通常ＡＲＴ等）に制御する期間を時間により設定することもできる。この場合には、遊技期間を延長させるためにＡＲＴ演出状態（通常ＡＲＴ等）に制御する時間を延長させるようにする。
【０１８９】
・本実施形態では、上乗せ条件を役抽選での当選役の当選に定めるようにしたが、当選役の入賞や、特定の場面でストップボタンの特定の操作や、内部的に行う役抽選とは異なる抽選等に定めることもできる。
【０１９０】
・本実施形態では、スイカ役や通常チェリー役の当選時の一部で上乗せを行う仕様にしてもよい。
・本実施形態では、スイカ役と通常チェリー役の当選確率に高低を定めることもできる。また、スイカ役と通常チェリー役の当選確率に高低を定める場合には、当選確率の低い場合の上乗せを優遇するように構成してもよい。
【０１９１】
・本実施形態では、スイカ役や通常チェリー役以外の当選役の当選を上乗せ条件に定めることもできるし、はずれのうち一部を上乗せ条件に定めることもできる。
・本実施形態において、通常ＡＲＴの制御中における上乗せに関しては、制御中の通常ＡＲＴの種類に関係なく同一回数に設定してもよい。一方、通常ＡＲＴの制御中には、制御中の通常ＡＲＴ用の上乗せ条件の到来に比して待機中の通常ＡＲＴ用の上乗せ条件による上乗せを優遇してもよい。
【０１９２】
・本実施形態では、切換抽選による通常ＡＲＴの切り換えに関しては行わない構成を採用することもできる。
・本実施形態では、切換抽選の抽選契機を特定の当選役に定めてもよい。また、切換抽選は、当選役等に関係なく毎変動ゲームで一定の当選確率で行われてもよい。
【０１９３】
・本実施形態では、通常ＡＲＴで上乗せ条件を異ならせていれば、通常ＡＲＴの間で有利度の高低を設定することもできる。
・本実施形態では、通常ＡＲＴの種類を３種類以上に変更することもできる。この場合には、上乗せ条件を異ならせた複数の通常ＡＲＴが含まれていればよい。
【０１９４】
・本実施形態では、合流ＡＲＴの制御中、上乗せの回数を均等に振分けなくてもよく、通常ＡＲＴの何れかに対して有利（多く）振分けることもできるし、通常ＡＲＴの何れかに対してのみ振分けることもできる。
【０１９５】
・本実施形態では、通常ＡＲＴのＡＲＴ回数が合算されるようにする合流ＡＲＴの仕様とすることもできる。この場合の合流ＡＲＴの制御中には、変動ゲームが行われる毎に合算したＡＲＴ回数を減算する処理、継続抽選とこれに係る処理等を通常ＡＲＴと同様に行うようにしてもよい。この場合の継続抽選は、合流ＡＲＴでの変動ゲームが予め定めた回数の消化後に行われてもよいし、合算したＡＴ回数が「０（零）」に達した場合に行われるようにしてもよい。
【０１９６】
・本実施形態では、特殊条件を役抽選での当選役の当選に定めるようにしたが、当選役の入賞や、特定の場面でストップボタンの特定の操作や、内部的に行う役抽選とは異なる抽選等に定めることもできる。
【０１９７】
・本実施形態では、通常ＡＲＴの制御中、特殊チェリー役の当選時の一部で合流ＡＲＴに移行させる仕様にしてもよい。
・本実施形態では、特殊チェリー役以外の当選役の当選を上乗せ条件に定めることもできるし、はずれのうち一部を特殊条件に定めることもできる。
【０１９８】
・本実施形態では、特殊チェリー停止目をスイカ停止目や通常チェリー停止目を含まないで構成することもできるし、状況によっては何れかの停止目を含み得るように構成することもできる。
【０１９９】
・本実施形態において、合流ＡＲＴの制御中における上乗せに関しては、通常ＡＲＴの場合に１回の上乗せで期待される回数を同等に設定してもよい。一方、合流ＡＲＴの制御中には、合流ＡＲＴの制御中の上乗せに比して通常ＡＲＴの制御中における待機中の通常ＡＲＴに定めた上乗せ条件の到来による上乗せを優遇してもよい。
【０２００】
・本実施形態では、合流ＡＲＴの制御中、特殊チェリー役の当選によってはＡＲＴ回数を行わないようにすることもできる。
・本実施形態では、通常ＡＲＴの制御中、制御中の通常ＡＲＴのＡＲＴ回数以外を上乗せしない構成とすることもできる。
【０２０１】
・本実施形態では、通常ＡＲＴの制御中、待機中や一旦終了等の状態に関係なく通常ＡＲＴの各ＡＲＴ回数を報知する仕様にて実現することもできる。
・本実施形態では、遊技状態の構成を任意に変更してもよく、ＲＴ性能の異なる一般遊技を設定したり、ＲＴ遊技とＮＲＴ遊技の間にさらに一般遊技を介在させたりもできる。
【０２０２】
・本実施形態では、ＲＴ遊技への移行契機として、賞メダルの払出しを定める図柄の組み合わせを設定することもできる。
・本実施形態では、ボーナス遊技を設定しないようなパチスロに適用してもよく、例えば、ＲＴ遊技に基づくＡＲＴ演出状態での遊技により遊技者の保有する賞メダルを増加させる仕様のパチスロに適用することもできる。
【０２０３】
・本実施形態において、有利遊技状態は、遊技者にとって有利であればよく、例えば、リプレイ役の合算の当選確率を他の遊技状態とほとんど変わりなく設定することもできる。この場合、特別遊技状態では、他の遊技状態で行わないベルナビ演出を行わせる仕様とすることで、遊技者にとって有利となる。
【０２０４】
・本実施形態は、演出表示装置１４を設けないパチスロに適用することもできる。この場合には、ランプＲの発光演出により演出状態を遊技者に報知したり、各演出状態用の専用ランプを設けてこれらを点灯させて演出状態を遊技者に報知したり、スピーカＳＰの音声演出により演出状態を遊技者に報知したりしてもよい。また、この場合には、ランプＲやスピーカＳＰなどによりリプナビ演出やベルナビ演出などの各種演出を行わせることもできる。
【０２０５】
・本実施形態では、ＢＮ遊技の終了を、入賞回数のみで規定することもできるし、実行回数のみで規定することもできる。また、ＢＮ役の種類を増やすこともできるし、ＢＮ役としてチャレンジタイム（所謂、「ＣＴ」）としてもよい。
【０２０６】
・本実施形態においてボーナス遊技は、２ベットによる変動ゲームのみを許容するようにしてもよい。すなわち、２ベットによる変動ゲームによるスイカ役や通常チェリー役や特殊チェリー役の入賞時には９枚の賞メダルの払出しが行われることになる。
【０２０７】
・本実施形態では、突入リプレイ役やベル役における停止目が変化し得る要素として、ストップボタンを操作するタイミングにしてもよい。この場合には、各リール（一つ又は全て）における特定の部分（図柄）を狙うような仕様が考えられる。そして、各種ナビ演出では、ストップボタンを操作するタイミング（特定の部分（図柄））を報知したりする。
【０２０８】
・本実施形態は、遊技媒体として遊技球を（パチンコ球）を用いるパチンコ式スロット機（パチスロ機）に具体化してもよい。
次に、上記実施形態及び別例から把握できる技術的思想を以下に追記する。
【０２０９】
（イ）前記延長条件としては、前記開始操作を契機に行われる役抽選での当選役の当選であって前記複数の有利遊技状態のそれぞれに異なる当選役の当選を定めている。
（ロ）前記遊技制御手段は、遊技期間の延長の対象とする前記有利遊技状態で行われる遊技回数を上乗せして遊技期間を延長するように構成されている。
【０２１０】
（ハ）遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止される遊技機において、所定条件の成立を契機として遊技者に有利な状態での遊技となる有利遊技状態に制御する遊技制御手段を備え、前記有利遊技状態には、制御中の有利遊技状態での遊技期間を延長可能にする延長条件をそれぞれに定めた複数の有利遊技状態を含み、前記遊技制御手段は、前記有利遊技状態の制御中にあっては制御中でない有利遊技状態に定めた前記延長条件の到来により該制御中でない有利遊技状態での遊技期間を延長可能に構成されたことを特徴とする遊技機。
【０２１１】
（ニ）前記遊技制御手段は、制御中の有利遊技状態と制御中でない有利遊技状態とを途中で切り換え可能に構成された技術的思想（ハ）に記載の遊技機。
（ホ）前記遊技制御手段は、制御中でない有利遊技状態に定めた前記延長条件の到来に比して制御中の有利遊技状態に定めた前記延長条件の到来による遊技期間の延長を優遇するように構成された技術的思想（ハ）又は技術的思想（ニ）に記載の遊技機。
【符号の説明】
【０２１２】
Ｌ１〜Ｌ５…図柄停止ライン、１０…パチスロ、１３…リールユニット、１３Ｌ…左リール、１３Ｃ…中リール、１３Ｒ…右リール、３２…スタートレバー、３３Ｌ、３３Ｃ、３３Ｒ…ストップボタン、４０…主制御基板、４０ａ…主制御用ＣＰＵ、４０ｂ…主制御用ＲＯＭ、４０ｃ…主制御用ＲＡＭ、４１…サブ制御基板、４１ａ…サブ制御用ＣＰＵ、４１ｂ…サブ制御用ＲＯＭ、４１ｃ…サブ制御用ＲＡＭ。
【図１】
0005981974.tif 000002
【図２】
0005981974.tif 000003
【図３】
0005981974.tif 000004
【図４】
0005981974.tif 000005
【図５】
0005981974.tif 000006
【図６】
0005981974.tif 000007
【図７】
0005981974.tif 000008
【図８】
0005981974.tif 000009
【図９】
0005981974.tif 000010
【図１０】
0005981974.tif 000011
【図１１】
0005981974.tif 000012
【図１２】
0005981974.tif 000013
【図１３】
0005981974.tif 000014